(57)【要約】  高インピーダンス状態の、ユーザの頭部の領域に、低電圧レベルを維持しながら、電流を経皮的に提供するための方法および装置。【選択図】図２
2019511322.tif 000002
【特許請求の範囲】
【請求項１】
ユーザの頭部の領域に電気刺激を経皮的に与えるための方法であって、
（ａ）  少なくとも２つの電極を前記ユーザの頭皮の表面と係合させることであって、前記電極は、コンプライアンス電圧を有する電子回路と機能的に関連付けられている、少なくとも２つの電極を頭皮と係合させることと、
（ｂ）  休止時間によって区切られる定電流正位相のストリークを含む正位相トレーンを備える平衡パルスを、前記係合した電極を介して送達することであって、前記正位相トレーンのすぐ後に、休止時間によって区切られる定電流負位相のストリークを含む負位相トレーンが続き、前記正位相および前記負位相のそれぞれは、前記ユーザの前記頭部に所定の電荷量を提供することを目的としており、
前記正位相トレーンの中の前記正位相の間の前記休止時間の累積時間と前記正位相の累積時間との間の第１の時間比率、および前記負位相トレーンの中の前記負位相の間の前記休止時間の累積時間と前記負位相の累積時間との間の第２の時間比率のそれぞれが、所定の閾値比率より小さく、
前記正位相および前記負位相が、共通位相幅ｗ１を有し、
前記正位相トレーンの中および前記負位相トレーンの中のすぐ次の後続位相との間の前記休止時間が、共通休止時間値ｒｔ１を有する、
平衡パルスを、係合した電極を介して送達することと、
（ｃ）  前記正位相および前記負位相の１つのまたは複数によって送達される電荷量の減少を識別するために、前記正位相および前記負位相によって送達された電荷量を監視することと、
（ｄ）  前記減少を識別すると、即座に、前記共通休止時間値ｒｔ１を適合させることと、
（ｅ）  （ｂ）〜（ｄ）の段階を繰り返すことであって、
前記監視したことによって、前記所定の電荷量が、前記正位相および前記負位相のそれぞれによって提供されたことが示される、または
前記第１の時間比率および前記第２の時間比率の少なくとも１つが、前記所定の閾値比率に達し、前記平衡パルスの電圧が、所定の電圧閾値に達するまで、（ｂ）〜（ｄ）の段階を繰り返すことと
を含む、方法。
【請求項２】
前記第１の時間比率および前記第２の時間比率のそれぞれが、前記所定の閾値比率より少ないとき、前記適合させることが、前記共通休止時間値を増大させることを含み、
前記第１および前記第２の時間比率のそれぞれが、前記所定の閾値比率以上であるとき、前記適合させることが、前記電極によって提供される電圧を増大させること、および前記共通休止時間値を所定の最小休止時間値まで減少させることを含む、
請求項１に記載の方法。
【請求項３】
前記適合させることが、前記共通位相幅を適合させることをさらに含む、請求項１または２に記載の方法。
【請求項４】
ユーザの頭部の領域に電気刺激を経皮的に与えるための方法であって、
（ａ）  少なくとも２つの電極を前記ユーザの頭皮の表面と係合させることであって、前記電極は、コンプライアンス電圧を有する電子回路と機能的に関連付けられている、少なくとも２つの電極を頭皮と係合させることと、
（ｂ）  休止時間によって区切られる定電流正位相のストリークを含む正位相トレーンを備える平衡パルスを、前記係合した電極を介して送達することであって、前記正位相トレーンのすぐ後に、休止時間によって区切られる定電流負位相のストリークを含む負位相トレーンが続き、前記正位相および前記負位相のそれぞれは、前記ユーザの前記頭部に所定の電荷量を提供することを目的としており、前記正位相トレーンの中の前記正位相の間の前記休止時間の累積時間と前記正位相の累積時間との間の第１の時間比率、および前記負位相トレーンの中の前記負位相の間の前記休止時間の累積時間と前記負位相の累積時間との間の第２の時間比率のそれぞれが、所定の閾値比率より小さい、
平衡パルスを、前記係合した電極を介して送達することと、
（ｃ）  前記正位相および前記負位相の１つのまたは複数によって送達される電荷量の減少を識別するために、前記正位相および前記負位相によって送達された電荷量を監視することと、
（ｄ）  前記減少を識別すると、即座に、前記正位相トレーンおよび前記負位相トレーンの少なくとも１つの中の少なくとも１つの前記休止時間を適合させることと、
（ｅ）  （ｂ）〜（ｄ）の段階を繰り返すことであって、
前記監視したことによって、前記所定の電荷量が、前記正位相および前記負位相のそれぞれによって提供されたことが示される、または
前記第１の時間比率および前記第２の時間比率の少なくとも１つが、前記所定の閾値比率に達し、前記平衡パルスの電圧が、所定の電圧閾値に達するまで、（ｂ）〜（ｄ）の段階を繰り返すことと
を含む、方法。
【請求項５】
前記正位相トレーンの中の前記正位相が、共通位相幅ｗｐを有する、請求項４に記載の方法。
【請求項６】
前記負位相トレーンの中の前記負位相が、共通位相幅ｗｎを有する、請求項４または５に記載の方法。
【請求項７】
前記正位相トレーンの中の前記正位相および前記負位相トレーンの中の前記負位相が、共通位相幅ｗ１を有する、請求項４から６のいずれか一項に記載の方法。
【請求項８】
前記正位相トレーンの中のすぐ次の後続位相の間の前記休止時間が、共通休止時間値ｒｔｐを有する、請求項４から７のいずれか一項に記載の方法。
【請求項９】
前記負位相トレーンの中のすぐ次の後続位相の間の前記休止時間が、共通休止時間値ｒｔｎを有する、請求項４から８のいずれか一項に記載の方法。
【請求項１０】
前記正位相トレーンの中、および前記負位相トレーンの中のすぐ次の後続位相の間の前記休止時間が、共通休止時間値ｒｔｌを有する、請求項４から９のいずれか一項に記載の方法。
【請求項１１】
前記第１および前記第２の時間比率のそれぞれが、前記所定の閾値比率より少ないとき、前記適合させることが、前記少なくとも１つの前記休止時間の時間を増大させることを含み、
前記第１および前記第２の時間比率のそれぞれが、前記所定の閾値比率以上であるとき、前記適合させることが、前記電極によって提供される電圧を増大させること、および前記少なくとも１つの前記休止時間の時間を所定の最小休止時間値まで減少させることを含む、
請求項４から１０のいずれか一項に記載の方法。
【請求項１２】
前記第１および前記第２の時間比率のそれぞれが、前記所定の閾値比率より少ないとき、前記適合させることが、各前記休止時間の時間を増大させることを含み、
前記第１および前記第２の時間比率のそれぞれが、前記所定の閾値比率以上であるとき、前記適合させることが、前記電極によって提供される電圧を増大させること、および各前記休止時間の時間を所定の最小休止時間値まで減少させることを含む、
請求項１１に記載の方法。
【請求項１３】
前記適合させることが、少なくとも１つの前記正位相または少なくとも１つの前記負位相の位相幅を適合させることをさらに含む、請求項４から１２のいずれか一項に記載の方法。
【請求項１４】
位相幅を前記適合させることが、各前記正位相および各前記負位相の位相幅を適合させることを含む、請求項１３に記載の方法。
【請求項１５】
前記正位相トレーンの時間が、前記負位相トレーンの時間とは異なる、請求項４から１４のいずれか一項に記載の方法。
【請求項１６】
前記正位相の前記累積時間が、前記負位相の前記累積時間とは異なる、請求項４から１５のいずれか一項に記載の方法。
【請求項１７】
前記正位相トレーンの中の前記正位相の間の前記休止時間の前記累積時間が、前記負位相トレーンの中の前記負位相の間の前記休止時間の前記累積時間とは異なる、請求項４から１６のいずれか一項に記載の方法。
【請求項１８】
前記正位相トレーンの中の前記正位相の数が、前記負位相トレーンの中の前記負位相の数とは異なる、請求項４から１７のいずれか一項に記載の方法。
【請求項１９】
前記正位相トレーンの時間が、前記負位相トレーンの時間と等しい、請求項１から１４のいずれか一項に記載の方法。
【請求項２０】
前記正位相の前記累積時間が、前記負位相の前記累積時間と等しい、請求項１から１４のいずれか一項に記載の方法。
【請求項２１】
前記正位相トレーンの中の前記正位相の間の前記休止時間の前記累積時間が、前記負位相トレーンの中の前記負位相の間の前記休止時間の前記累積時間と等しい、請求項１から１４のいずれか一項に記載の方法。
【請求項２２】
前記正位相トレーンの中の前記正位相の数が、前記負位相トレーンの中の前記負位相の数と等しい、請求項１から１４のいずれか一項に記載の方法。
【請求項２３】
前記頭部の前記領域が、前記頭部の毛髪で覆われた領域である、請求項１から２２のいずれか一項に記載の方法。
【請求項２４】
前記係合させることが、前記頭部の前記毛髪で覆われた領域で前記電極を係合させることを含む、請求項２３に記載の方法。
【請求項２５】
前記頭部の前記領域が、前記電気刺激が、前記頭部の前記領域の中の頭部神経に送達されるように、頭部神経を含む、請求項１から２４のいずれか一項に記載の方法。
【請求項２６】
前記係合させることが、前記少なくとも２つの電極および前記電子回路を含むヘッドセットを、前記少なくとも２つの電極が、前記頭皮の前記表面に係合するように、前記ユーザの前記頭部上に装着することを含む、請求項１から２５のいずれか一項に記載の方法。
【請求項２７】
前記正位相トレーンの中、および前記負位相トレーンの中の各前記休止時間の時間が、最小休止時間の時間に少なくとも等しい、請求項１から２６のいずれか一項に記載の方法。
【請求項２８】
前記正位相のそれぞれ、および前記負位相のそれぞれの位相幅が、最大位相幅以下である
【請求項２９】
前記監視することが、前記電極によって実行される、請求項１から２８のいずれか一項に記載の方法。
【請求項３０】
前記監視することが、前記電極外部の少なくとも１つのセンサによって実行され、前記センサが、前記ユーザの前記頭皮の皮膚に係合しており、前記電子回路と機能的に関連付けられている、請求項１から２９のいずれか一項に記載の方法。
【請求項３１】
前記監視することが、前記正位相および前記負位相ごとに、提供された波形が、意図された波形と同一であるかどうかを識別するために、前記提供された波形を前記正位相および前記負位相ごとに監視することを含み、前記提供された波形が前記意図された波形と同一でない場合に、電荷の前記減少が、識別される、請求項１から３０のいずれか一項に記載の方法。
【請求項３２】
前記適合させることが、前記第１の時間比率および前記第２の時間比率の少なくとも１つを適合させることを含む、請求項１から３１のいずれか一項に記載の方法。
【請求項３３】
前記適合させることが、前記第１の時間比率および前記第２の時間比率を適合させることを含む、請求項３２に記載の方法。
【請求項３４】
前記適合させることが、前記正位相トレーンの中の前記正位相の数を変更することをさらに含む、請求項１から３３のいずれか一項に記載の方法。
【請求項３５】
前記適合させることが、前記負位相トレーンの中の前記負位相の数を変更することをさらに含む、請求項１から３４のいずれか一項に記載の方法。
【請求項３６】
前記適合させることが、前記正位相および前記負位相の少なくとも１つの振幅を変更することをさらに含む、請求項１から３５のいずれか一項に記載の方法。
【請求項３７】
前記監視することが、前記電子回路が前記電極のインピーダンスを測定することをさらに含み、前記適合させることが、前記インピーダンスがインピーダンス閾値を超えていることを識別すると行われる、請求項１から３６のいずれか一項に記載の方法。
【請求項３８】
前記監視することが、前記電極によって送給された電圧を監視することをさらに含み、前記適合させることが、前記電圧が上側電圧閾値に達していることが識別されると行われる、請求項１から３７のいずれか一項に記載の方法。
【請求項３９】
前記監視することの後に、前記所定の電荷量が、前記正位相および前記負位相のそれぞれによって提供されており、そして前記段階（ｅ）が完了していることを示すこと、加えて、前記正位相および前記負位相によって送給された前記電荷の変化を識別するために、前記正位相および前記負位相によって送給された前記電荷量を監視することをさらに含む、請求項１から３８のいずれか一項に記載の方法。
【請求項４０】
前記変化が、前記正位相および前記負位相が提供される状態の変化を示す、請求項３９に記載の方法。
【請求項４１】
前記状態の前記変化には、前記少なくとも２つの電極の間で測定されたインピーダンスの変化が含まれる、請求項４０に記載の方法。
【請求項４２】
前記付加的に監視することが、前記ユーザからの表示を受け取ったことに応えて実行される、請求項３９から４１のいずれか一項に記載の方法。
【請求項４３】
前記付加的に監視することが、前記電極に隣接する区域における感知された状態の変化を示す信号をセンサから受け取ったことに応えて実行される、請求項３９から４２のいずれか一項に記載の方法。
【請求項４４】
前記付加的に監視することによって状態の前記変化を識別した後に、前記方法の前記段階（ｄ）および（ｅ）を繰り返すことをさらに含む、請求項３９から４３のいずれか一項に記載の方法。
【請求項４５】
前記第１の時間比率および前記第２の時間比率が前記所定の閾値比率に達し、前記電圧が前記所定の電圧閾値に達した後に、前記電気刺激の付与を終了すること、および治療が終了されたことを前記ユーザに通知することをさらに含む、請求項１から４４のいずれか一項に記載の方法。
【請求項４６】
段階（ａ）の後、そして段階（ｂ）の前に、
正位相およびその直後に続く負位相を含む平衡単一定電流パルスを、前記係合された電極を介して送給することであって、前記正位相および負位相が、前記ユーザの前記頭部に所定量の電荷を提供することを目的としている、定電流パルスを送給することと、
前記単一パルスの送給の間に前記電子回路のインピーダンスが、所定のインピーダンス閾値に達したことを識別することと
をさらに含む、請求項１から４５のいずれか一項に記載の方法。
【請求項４７】
段階（ａ）の後、そして段階（ｂ）の前に、
正位相およびその直後に続く負位相を含む平衡単一定電流パルスを、前記係合された電極を介して送給することであって、前記正位相および負位相が、前記ユーザの前記頭部に所定量の電荷を提供することを目的としている、定電流パルスを送給することと、
前記単一定電流パルスを送給するのに必要とされる電圧が、上側電圧閾値に達していることを識別することと
をさらに含む、請求項１から４６のいずれか一項に記載の方法。
【請求項４８】
頭部装着デバイスであって、
前記頭部装着デバイスが装着されるとき、前記ユーザの前記頭皮に係合し、休止時間によって区切られる定電流正位相のストリークを含む正位相トレーンを備える平衡パルスを前記ユーザの前記頭皮に送給するように構成される、少なくとも１対の電極であって、前記正位相トレーンのすぐ後に、休止時間によって区切られる定電流負位相のストリークを含む、負位相トレーンが続き、前記正位相および前記負位相のそれぞれは、前記ユーザの前記頭部に所定の電荷量を提供することを目的としており、
前記正位相トレーンの中の前記正位相の間の前記休止時間の累積時間と前記正位相の累積時間との間の第１の時間比率、および前記負位相トレーンの中の前記負位相の間の前記休止時間の累積時間と前記負位相の累積時間との間の第２の時間比率のそれぞれが、所定の閾値比率より小さく、
前記正位相および前記負位相が、共通位相幅ｗ１を有し、そして、
前記正位相トレーンの中のすぐ次の後続位相との間の前記休止時間と、前記負位相トレーンの中のすぐ次の後続位相との間の前記休止時間とが、共通休止時間値ｒｔ１を有する、
少なくとも１対の電極と、
前記頭部装着デバイスが前記ユーザによって装着され、そして前記パルスの伝達の間、前記ユーザの前記頭皮の前記皮膚に係合し、前記正位相および前記負位相によって送給された電荷の量を監視するように適合される少なくとも１つのセンサと、
前記少なくとも２つの電極に機能的に関連付けられ、コンプライアンス電圧を有する電子回路と、
前記電極に指示を提供するために前記電極に機能的に関連付けられ、前記少なくとも１つのセンサから入力を受信するために前記少なくとも１つのセンサを備えた処理装置であって、前記処理装置は、
（ａ）前記少なくとも１つのセンサから入力を受信する、
（ｂ）前記受信された入力において、前記正位相および前記負位相の１つまたは複数によって送給された電荷の減少を識別する、
（ｃ）前記低下を識別すると、即座に、前記共通休止時間値を適合させる入力を前記電極に提供する、および
（ｄ）段階（ａ）〜（ｃ）を、
前記所定の電荷量が、前記正位相および前記負位相のそれぞれによって提供されるまで、または
前記第１の時間比率および前記第２の時間比率の少なくとも１つが、前記所定の閾値比率に達し、前記平衡パルスの電圧が、所定の電圧閾値に達するまで、
繰り返すようにプログラムされた、
処理装置と
を備える、頭部装着デバイス。
【請求項４９】
前記処理装置が、
前記第１および前記第２の時間比率のそれぞれが、前記所定の閾値比率より少ないとき、前記共通休止時間値を増大させる入力を前記電極に提供し、
前記第１および前記第２の時間比率のそれぞれが、前記所定の閾値比率以上であるとき、前記電極によって提供される電圧を増大させ、前記共通休止時間値を、所定の最小休止時間値まで減少させる入力を前記電極に提供するように
さらにプログラムされる、請求項４８に記載のデバイス。
【請求項５０】
前記処理装置が、前記共通位相幅を適合させる入力を前記電極に提供するようにさらに構成される、請求項４８または４９に記載のデバイス。
【請求項５１】
頭部装着デバイスであって、
前記頭部装着デバイスが装着されるとき、前記ユーザの前記頭皮に係合し、休止時間によって区切られる定電流正位相のストリークを含む正位相トレーンを備える平衡パルスを前記ユーザの前記頭皮に送給するように構成される、少なくとも１対の電極であって、前記正位相トレーンのすぐ後に、休止時間によって区切られる定電流負位相のストリークを含む、負位相トレーンが続き、前記正位相および前記負位相のそれぞれは、前記ユーザの前記頭部に所定の電荷量を提供することを目的としており、前記正位相トレーンの中の前記正位相の間の前記休止時間の累積時間と前記正位相の累積時間との間の第１の時間比率、および前記負位相トレーンの中の前記負位相の間の前記休止時間の累積時間と前記負位相の累積時間との間の第２の時間比率のそれぞれが、所定の閾値比率より小さい、少なくとも一対の電極と、
前記頭部装着デバイスが前記ユーザによって装着され、そして前記パルスの伝達の間、前記頭皮の前記皮膚に係合し、前記正位相および前記負位相によって送給された電荷の量を監視するように適合される少なくとも１つのセンサと、
前記少なくとも２つの電極に機能的に関連付けられ、コンプライアンス電圧を有する電子回路と、
前記電極に指示を提供するために前記電極に機能的に関連付けられ、前記少なくとも１つのセンサから入力を受信するために前記少なくとも１つのセンサを備えた処理装置であって、前記処理装置は、
（ａ）前記少なくとも１つのセンサから入力を受信する、
（ｂ）前記受信された入力において、前記正位相および前記負位相の１つまたは複数によって送給された電荷の減少を識別する、
（ｃ）前記低下を識別すると、即座に、前記正位相トレーンおよび前記負位相トレーンの少なくとも１つの中の少なくとも１つの前記休止時間を適合させる入力を前記電極に提供する、および
（ｄ）段階（ａ）〜（ｃ）を
前記所定の電荷量が、前記正位相および前記負位相のそれぞれによって提供されるまで、または
前記第１の時間比率および前記第２の時間比率の少なくとも１つが、前記所定の閾値比率に達し、前記平衡パルスの電圧が、所定の電圧閾値に達するまで、
段階（ａ）〜（ｃ）を繰り返すようにプログラムされた、
処理装置と
を備える、頭部装着デバイス。
【請求項５２】
前記電極が、前記正位相トレーンの中の前記正位相が、共通位相幅ｗｐを有する前記パルスを送給するように構成される、請求項５１に記載のデバイス。
【請求項５３】
前記電極が、前記負位相トレーンの中の前記負位相が、共通位相幅ｗｎを有する前記パルスを送給するように構成される、請求項５１または５２に記載のデバイス。
【請求項５４】
前記電極が、前記正位相トレーンの中の前記正位相および前記負位相トレーンの中の前記負位相が、共通位相幅ｗ１を有する前記パルスを送給するように構成される、請求項５１から５３のいずれか一項に記載のデバイス。
【請求項５５】
前記電極が、前記正位相トレーンの中のすぐ次の後続位相の間の前記休止時間が、共通休止時間値ｒｔｐを有する前記パルスを送給するように構成される、請求項５１から５４のいずれか一項に記載のデバイス。
【請求項５６】
前記電極が、前記負位相トレーンの中のすぐ次の後続位相の間の前記休止時間が、共通休止時間値ｒｔｎを有する前記パルスを送給するように構成される、請求項５１から５５のいずれか一項に記載のデバイス。
【請求項５７】
前記電極が、前記正位相トレーンの中、および前記負位相トレーンの中のすぐ次の後続位相の間の前記休止時間が、共通休止時間値ｒｔ１を有する前記パルスを送給するように構成される、請求項５１から５６のいずれか一項に記載のデバイス。
【請求項５８】
前記処理装置が、
前記第１および前記第２の時間比率のそれぞれが、前記所定の閾値比率より少ないとき、前記少なくとも１つの前記休止時間の時間を増大させる入力を前記電極に提供し、
前記第１および前記第２の時間比率のそれぞれが、前記所定の閾値比率以上であるとき、前記電極によって提供される電圧を増大させ、前記少なくとも１つの前記休止時間の時間を所定の最小休止時間値まで減少させる入力を前記電極に提供するように
さらにプログラムされる、請求項５１から５７のいずれか一項に記載のデバイス。
【請求項５９】
前記処理装置が、
前記第１および前記第２の時間比率のそれぞれが、前記所定の閾値比率より少ないとき、各前記休止時間の時間を増大させる入力を前記電極に提供し、
前記第１および前記第２の時間比率のそれぞれが、前記所定の閾値比率以上であるとき、前記電極によって提供される電圧を増大させ、各前記休止時間の時間を所定の最小休止時間値まで減少させる入力を前記電極に提供するように
さらにプログラムされる、請求項５８に記載のデバイス。
【請求項６０】
前記処理装置が、少なくとも１つの前記正位相または少なくとも１つの前記負位相の位相幅に適合させる入力を前記電極に提供するようにさらにプログラムされる、請求項５１から５９のいずれか一項に記載のデバイス。
【請求項６１】
前記処理装置が、各前記正位相および各前記負位相の位相幅に適合させる入力を前記電極に提供するようにさらにプログラムされる、請求項６０に記載のデバイス。
【請求項６２】
前記電極が、前記正位相トレーンの時間が、前記負位相トレーンの時間とは異なる前記パルスを送給するように構成される、請求項５１から６１のいずれか一項に記載のデバイス。
【請求項６３】
前記電極が、前記正位相の前記累積時間が、前記負位相の前記累積時間とは異なる前記パルスを送給するように構成される、請求項５１から６２のいずれか一項に記載のデバイス。
【請求項６４】
前記電極が、前記正位相トレーンの中の前記正位相の間の前記休止時間の前記累積時間が、前記負位相トレーンの中の前記負位相の間の前記休止時間の前記累積時間とは異なる前記パルスを送給するように構成される、請求項５１から６３のいずれか一項に記載のデバイス。
【請求項６５】
前記電極が、前記正位相トレーンの中の前記正位相の数が、前記負位相トレーンの中の前記負位相の数とは異なる前記パルスを送給するように構成される、請求項５１から６４のいずれか一項に記載のデバイス。
【請求項６６】
前記電極が、前記正位相トレーンの時間が、前記負位相トレーンの時間と等しい前記パルスを送給するように構成される、請求項４８から６１のいずれか一項に記載のデバイス。
【請求項６７】
前記電極が、前記正位相の前記累積時間が、前記負位相の前記累積時間と等しい前記パルスを送給するように構成される、請求項４８から６１のいずれか一項に記載のデバイス。
【請求項６８】
前記電極が、前記正位相トレーンの中の前記正位相の間の前記休止時間の前記累積時間が、前記負位相トレーンの中の前記負位相の間の前記休止時間の前記累積時間と等しい前記パルスを送給するように構成される、請求項４８から６１のいずれか一項に記載のデバイス。
【請求項６９】
前記電極が、前記正位相トレーンの中の前記正位相の数が、前記負位相トレーンの中の前記負位相の数と等しい前記パルスを送給するように構成される、請求項４８から６１のいずれか一項に記載のデバイス。
【請求項７０】
ユーザの頭部上に装着されるように適合された本体部材をさらに備え、前記電極および前記センサが、前記本体部材の内面に載置されている、請求項４８から６９のいずれか一項に記載のデバイス。
【請求項７１】
前記頭部の前記領域が、前記頭部の毛髪で覆われた領域である、請求項４８から７０のいずれか一項に記載のデバイス。
【請求項７２】
前記電極が、前記頭部装着デバイスが装着されるとき、前記頭部の前記毛髪で覆われた領域に係合するように構成される、請求項７１に記載のデバイス。
【請求項７３】
前記電極が、前記頭部の前記領域の中の前記頭部神経に前記電気刺激を送給するように構成されるように、前記頭部の前記領域が、頭部神経を備える、請求項４８から７２のいずれか一項に記載のデバイス。
【請求項７４】
前記電極が、前記正位相トレーンの中、および前記負位相トレーンの中の各前記休止時間の時間が、最小休止時間の時間と、少なくとも等しい前記パルスを送給するように構成される、請求項４８から７３のいずれか一項に記載のデバイス。
【請求項７５】
前記電極が、前記正位相のそれぞれおよび前記負位相のそれぞれの位相幅が、最大位相幅以下である前記パルスを送給するように構成される、請求項４８から７４のいずれか一項に記載のデバイス。
【請求項７６】
前記少なくとも１つのセンサが、前記電極の少なくとも１つである、請求項４８から７５のいずれか一項に記載のデバイス。
【請求項７７】
前記少なくとも１つのセンサが、前記電極の外部にあり、前記電子回路と機能的に関連付けられている、請求項４８から７６のいずれか一項に記載のデバイス。
【請求項７８】
前記少なくとも１つのセンサが、前記正位相および前記負位相のそれぞれの提供された波形を監視するように構成され、前記処理装置が、前記正位相および前記負位相ごとに、前記提供された波形が、意図された波形と同一であるかどうかを識別するように、および前記提供された波形が前記意図された波形と同一ではない場合に、電荷の前記減少を識別するように構成される、請求項４８から７７のいずれか一項に記載のデバイス。
【請求項７９】
前記処理装置が、前記第１の時間比率および前記第２の時間比率の少なくとも１つを適合させる指示を前記電極に提供するように構成される、請求項４８から７８のいずれか一項に記載のデバイス。
【請求項８０】
前記処理装置が、前記第１の時間比率および前記第２の時間比率を適合させる指示を前記電極に提供するように構成される、請求項７９に記載のデバイス。
【請求項８１】
前記処理装置が、前記正位相トレーンの中の前記正位相の数を変更する指示を前記電極に提供するように構成される、請求項４８から８０のいずれか一項に記載のデバイス。
【請求項８２】
前記処理装置が、前記負位相トレーンの中の前記負位相の数を変更する指示を前記電極に提供するように構成される、請求項４８から８１のいずれか一項に記載のデバイス。
【請求項８３】
前記処理装置が、前記正位相および前記負位相の少なくとも１つの振幅を変更する指示を前記電極に提供するように構成される、請求項４８から８２のいずれか一項に記載のデバイス。
【請求項８４】
前記少なくとも１つのセンサが、前記電子回路のインピーダンスを監視するように構成され、前記処理装置が、前記インピーダンスがインピーダンス閾値を超えていることを識別するように構成される、請求項４８から８３のいずれか一項に記載のデバイス。
【請求項８５】
前記少なくとも１つのセンサが、前記電極によって送給される電圧を監視するように構成され、前記処理装置が、前記電圧が上側電圧閾値に達していることを識別するように構成される、請求項４８から８４のいずれか一項に記載のデバイス。
【請求項８６】
前記処理装置が、前記所定の電荷量が、前記正位相および前記負位相のそれぞれによって提供され、前記段階（ｄ）が完了したことを識別した後、前記処理装置が、少なくとも、前記少なくとも１つのセンサからの付加的な入力を受信し、前記正位相および前記負位相によって送給される前記電荷の変化、および正位前記相および前記負位相が提供されている状態の変化の少なくとも１つを識別するように構成される、請求項４８から８５のいずれか一項に記載のデバイス。
【請求項８７】
前記少なくとも１つのセンサが、前記少なくとも２つの電極の間のインピーダンスの変化を測定し、前記測定値を前記付加的な入力として前記処理装置に提供するように構成される、請求項８６に記載のデバイス。
【請求項８８】
前記処理装置と機能的に関連付けられたユーザインターフェースをさらに備え、前記付加的な入力には、前記ユーザインターフェースを介して前記ユーザによって提供される入力が含まれる、請求項８６または８７のいずれか一項に記載のデバイス。
【請求項８９】
前記処理装置と機能的に関連付けられ、前記電極に隣接した区域の状態を感知するように構成されたセンサをさらに備え、前記付加的な入力には、前記センサから前記処理装置に提供される信号が含まれ、前記信号が、前記電極に隣接する区域における感知された状態の変化を示す、請求項８６から８８のいずれか一項に記載のデバイス。
【請求項９０】
前記処理装置が、状態の前記変化を識別した後に、前記段階（ｃ）および（ｄ）を繰り返すようにさらに構成される、請求項８６から８９のいずれか一項に記載のデバイス。
【請求項９１】
前記処理装置と機能的に関連付けられたユーザ通知モジュールをさらに備え、前記第１の時間比率および前記第２の時間比率の少なくとも１つが、前記所定の閾値比率に達し、前記電圧が、前記所定の電圧閾値に達した後、前記処理装置が、前記電気刺激の付与を終了し、前記ユーザ通知モジュールが、治療が終了されたことを前記ユーザに通知する、請求項４８から９０のいずれか一項に記載のデバイス。
【請求項９２】
前記電極が、前記正位相トレーンおよび前記負位相トレーンの送給の前に、正位相およびその直後に続く負位相を備え、前記正位相および負位相が、前記ユーザの前記頭部に所定量の電荷を提供することを目的としている、平衡単一定電流パルスを送給するように構成され、
前記処理装置が、前記正位相トレーンおよび前記負位相トレーンの送給の前に、前記単一パルスの送給の間に、前記電子回路のインピーダンスが、所定のインピーダンス閾値に達したことを識別するように構成される、
請求項４８から９１のいずれか一項に記載のデバイス。
【請求項９３】
前記電極が、前記正位相トレーンおよび前記負位相トレーンの送給の前に、正位相およびその直後に続く負位相を備え、前記正位相および負位相が、前記ユーザの前記頭部に所定量の電荷を提供することを目的としている、平衡単一定電流パルスを送給するように構成され、
前記処理装置が、前記正位相トレーンおよび前記負位相トレーンの送給の前に、前記単一定電流パルスを送給するのに必要な電圧が、上側電圧閾値に達したことを識別するように構成される、
請求項４８から９２のいずれか一項に記載のデバイス。
【発明の詳細な説明】
【技術分野】
【０００１】
本発明は、頭部領域、詳細には、毛髪で覆われた頭部領域などの高インピーダンスを有する区域に電気刺激を与えるための装置および方法に関する。
【背景技術】
【０００２】
本発明は、頭部領域に電気刺激を与えるための装置および方法に関する。開示される装置は、末梢神経および脳神経の刺激、脳領域の経頭蓋刺激で、およびさまざまな身体パラメータを感知するために使用され得る。
【０００３】
頭部領域の末梢神経および脳神経は、慢性的疼痛、偏頭痛、緊張性頭痛、群発性頭痛、線維筋痛、欝状態、外傷後ストレス障害（ＰＴＳＤ：Ｐｏｓｔ−Ｔｒａｕｍａｔｉｃ  Ｓｔｒｅｓｓ  Ｄｉｓｏｒｄｅｒ）、不安、ストレス、双極性障害、精神分裂症、強迫性障害（ＯＣＤ：Ｏｂｓｅｓｓｉｖｅ  Ｃｏｍｐｕｌｓｉｖｅ  Ｄｉｓｏｒｄｅｒ）、不眠症、癲癇、注意欠陥障害（ＡＤＤ：Ａｔｔｅｎｔｉｏｎ  Ｄｅｆｉｃｉｔ  Ｄｉｓｏｒｄｅｒ）、注意欠陥過活動性障害（ＡＤＨＤ：Ａｔｔｅｎｔｉｏｎ  Ｄｅｆｉｃｉｔ  Ｈｙｐｅｒａｃｔｉｖｉｔｙ  Ｄｉｓｏｒｄｅｒ）、パーキンソン病、アルツハイマー病、肥満症、多発性硬化症、脳卒中、および外傷性脳損傷（ＴＢＩ：Ｔｒａｕｍａｔｉｃ  Ｂｒａｉｎ  Ｉｎｊｕｒｙ）などのさまざまな状態を治療するために、刺激される場合がある。後頭神経および三叉神経の解剖学的構造などの、頭部領域の末梢神経および脳神経の解剖学的構造、および青斑核および大縫線核などの脳幹領域への、ならびに視床および前方帯状皮質などのより高度な脳領域へのそれらの突起は、このような状態を治療するためにこれらの神経を刺激するとき、有利であり得る。
【０００４】
後頭、眼窩上、滑車上、頬骨側頭、および耳介側頭の神経枝などの、頭部領域の表在神経の神経刺激は、侵襲的または非侵襲的に与えられ得る。電流を、毛髪を介して伝送する課題の故に、後頭神経（大後頭枝、小後頭枝、および第３後頭枝）などの、毛髪で覆われた領域の下にある頭部神経の刺激は、通常、埋め込まれたまたは経皮的神経刺激器を使用して実行される。このようなデバイスは、頭皮の下に挿入され、したがって、毛髪および頭皮によって形成された高インピーダンス障壁を迂回する電極を含む。しかしながら、埋込式の神経刺激は、依然として、感染、出血、または皮下の液貯留を含む合併症、ならびに埋め込まれた導線の遊走および破損、およびパルス発生器故障などの、ハードウェア関連の故障を高い割合で伴う、侵襲的で、高コストな処置である。非侵襲的技術を用いて、後頭神経枝などの頭部神経を経皮刺激することは、侵襲的処置と関連付けられる危険性および費用を伴わずに、埋め込まれた刺激装置の便益と同様の臨床的便益を実現する見込みがある。
【０００５】
頭部、具体的には毛髪に覆われた領域に、電流を非侵襲的に与えることは、数多くの課題を提起する。毛髪および頭皮は、下にある神経に電流を伝送することを困難にする高インピーダンス障壁を作り出す。電流に対する、頭皮および頭蓋骨の骨膜の高い感覚鋭敏度、ならびに頭皮組織の皮膚脆弱性は、頭部神経を非侵襲的に刺激することを試みながら、付加的に考慮すべき問題である。
【０００６】
組織に提供される電流と、組織のインピーダンスと、電流を提供するのに必要とされる電圧との間の関係は、オームの法則、Ｖ＝Ｉ・Ｚによって特徴付けられ、上式において、Ｖ（電圧）は、頭部の上に置かれる２つの電極の間の電位差であり、Ｚは、毛髪および頭皮組織のインピーダンスであり、Ｉ、インピーダンスを貫いて流れる電流である。したがって、電圧は、大体において、インピーダンスまたは抵抗に対して実質的に比例して増大する。
【０００７】
大後頭神経などの神経の非侵襲的刺激は、かなりの電流振幅（３〜１５ｍＡ）を必要とし、毛髪および頭皮と関連付けられる高インピーダンスに因って、高電圧レベル（１５０Ｖ以下）が、毛髪および頭皮を通じて電流を伝送するために必要とされ得る。このような高電圧レベルは、それらが、頭皮組織に損傷を与え、ユーザにとって不快である可能性があり、かつ／または、エネルギーの消費において浪費的である可能性があり、その結果、十分な治療時間を可能にするためには、大きい電池が必要とされる場合があるので、不利である。
【０００８】
インピーダンスレベルは、人々の間でかなり異なっており、時間と共に変化する傾向がある。以下のいくつかの因子が、インピーダンスレベルに影響を及ぼしていると特定された：
非動的因子、または人々の間の違いに関係した因子であって、以下を含む。：
・  頭皮の容量性／抵抗性特性、例えば、抵抗性構成要素は、一部の人々では５ＫΩであり得、他の人では、２０ＫΩに達する場合もあり得る。
・  毛髪の型、例えば、油性毛髪は、乾燥毛髪より水分の吸収が少ない傾向があり、それによって乾燥毛髪より高インピーダンスを有する。
・  毛髪の量および密度、例えば、密度の高い毛髪ほど、刺激電極と頭皮との間により高いインピーダンス障壁を生み出す。
治療間で、および／または同じ人に対する特定の治療の間、変化する可能性がある、動的な因子であって、以下を含む。：
・  電極を取り付けるときのユーザの技量によって、またはユーザの位置の変化によって影響を受ける可能性がある、刺激電極と頭皮との間の近接性および接触の質。例えば、ユーザが、仰臥位であり、自分の頭部の重量が、後頭電極を表面に押し当てるとき、刺激電極は頭皮に、より接近していることになり、結果的にインピーダンスはより低くなる。
・  毛髪による電極の導電性媒体の吸収。例えば、水、食塩水、またはそれを通して電流を強化するために電極に塗布される導電性ゲルなどの導電性媒体は、ユーザの毛髪によって漸進的に吸収される可能性があり、したがって、電流に対する毛髪の抵抗を減少させ、それによって、電極と頭皮との間の導電率を増大させる。
・  治療の所要時間、環境条件等によって影響を受ける可能性がある、導電性媒体の脱水。
・  例えばヘッドセットの調整によって、ユーザの位置によってなど、電極を頭皮に向かって押している電極上に加えられる圧力。
【０００９】
インピーダンスに対する変動、および具体的には、電極−頭皮インターフェースにおけるインピーダンスの動的な変動は、不都合なことに、目標とする神経または脳領域の効果的および均質な刺激を実現する能力に影響を及ぼす可能性があり、デバイスを作動させるとき、ユーザの持続的な注意および高い技量を必要とする場合がある。
【００１０】
したがって、頭部領域の、具体的には毛髪によって覆われる区域での、効果的な非侵襲的神経刺激のためのシステムおよび方法であって、組織を監視し、出力信号をユーザの特性および経時的な変化に適合させるシステムおよび方法に対する必要性の存在が、認識されており、それらのシステムおよび方法を有していれば、非常に有利となる。このようなシステムおよび方法が、頭皮組織への損傷ならびにユーザにとっての不快感を回避し、安全および頑強な様式で動作すれば、特に有利となる。
【発明の概要】
【００１１】
本発明のいくつかの教示によれば、ユーザの頭部の領域に電気刺激を経皮的に与えるための方法が、提供されており、方法は、
（ａ）  少なくとも２つの電極をユーザの頭皮の表面と係合させることであって、電極は、コンプライアンス電圧を有する電子回路と機能的に関連付けられている、電極を頭皮と係合させることと、
（ｂ）  休止時間によって区切られる定電流正位相のストリークを含む正位相トレーンを含む平衡パルスを、係合した電極を介して送達することであって、正位相トレーンのすぐ後に、休止時間によって区切られる定電流負位相のストリークを含む負位相トレーンが続き、正位相および負位相のそれぞれは、ユーザの頭部に所定の電荷量を提供することを目的としており、
正位相トレーンの中の正位相の間の休止時間の累積時間と正位相の累積時間との間の第１の時間比率、および負位相トレーンの中の負位相の間の休止時間の累積時間と負位相の累積時間との間の第２の時間比率のそれぞれが、所定の閾値比率より小さく、
正位相および負位相が、共通位相幅ｗ１を有し、
正位相トレーンの中および負位相トレーンの中のすぐ次の後続位相との間の休止時間が、共通休止時間値ｒｔ１を有する、
平衡パルスを係合した電極を介して送達することと、
（ｃ）  正位相および負位相の１つのまたは複数によって送達される電荷量の減少を識別するために、正位相および負位相によって送達された電荷量を監視することと、
（ｄ）  減少を識別すると、即座に、共通休止時間値ｒｔ１を適合させることと、
（ｅ）  （ｂ）〜（ｄ）の段階を
監視したことによって、所定の電荷量が、正位相および負位相のそれぞれによって提供されたことが示される、または
第１の時間比率および第２の時間比率の少なくとも１つが、所定の閾値比率に達し、平衡パルスの電圧が、所定の電圧閾値に達するまで、
繰り返すことと、
を含む。
【００１２】
いくつかの実施形態では、第１の時間比率および第２の時間比率のそれぞれが、所定の閾値比率より少ないとき、適合させることは、共通休止時間値を増大させることを含み、第１および第２の時間比率のそれぞれが、所定の閾値比率以上であるとき、適合させることは、電極によって提供される電圧を増大させること、および共通休止時間値を所定の最小休止時間値まで減少させることを含む。
【００１３】
いくつかの実施形態では、適合させることは、共通位相幅を適合させることをさらに含む。
【００１４】
本発明のいくつかの教示によれば、ユーザの頭部の領域に電気刺激を経皮的に与えるための方法が、提供されており、方法は、
（ａ）  少なくとも２つの電極をユーザの頭皮の表面と係合させることであって、電極は、コンプライアンス電圧を有する電子回路と機能的に関連付けられている、電極を頭皮と係合させることと、
（ｂ）  休止時間によって区切られる定電流正位相のストリークを含む正位相トレーンを含む平衡パルスを、係合した電極を介して送達することであって、正位相トレーンのすぐ後に、休止時間によって区切られる定電流負位相のストリークを含む負位相トレーンが続き、正位相および負位相のそれぞれは、ユーザの頭部に所定の電荷量を提供することを目的としており、正位相トレーンの中の正位相の間の休止時間の累積時間と正位相の累積時間との間の第１の時間比率、および負位相トレーンの中の負位相の間の休止時間の累積時間と負位相の累積時間との間の第２の時間比率のそれぞれは、所定の閾値比率より小さい、平衡パルスを係合した電極を介して送達することと、
（ｃ）  正位相および負位相の１つのまたは複数によって送達される電荷量の減少を識別するために、正位相および負位相によって送達された電荷量を監視することと、
（ｄ）  低下を識別すると、即座に、正位相トレーンおよび負位相トレーンの少なくとも１つの中の少なくとも１つの休止時間を適合させることと、
（ｅ）  （ｂ）〜（ｄ）の段階を、
監視したことによって、所定の電荷量が、正位相および負位相のそれぞれによって提供されたことが示される、または
第１の時間比率および第２の時間比率の少なくとも１つが、所定の閾値比率に達し、平衡パルスの電圧が、所定の電圧閾値に達するまで、
繰り返すことと、
を含む。
【００１５】
いくつかの実施形態では、正位相トレーンの中の正位相は、共通位相幅ｗｐを有する。いくつかの実施形態では、負位相トレーンの中の負位相は、共通位相幅ｗｎを有する。いくつかの実施形態では、正位相トレーンの中の正位相および負位相トレーンの中の負位相は、共通位相幅ｗ１を有する。
【００１６】
いくつかの実施形態では、正位相トレーンの中のすぐ次の後続位相の間の休止時間は、共通休止時間値ｒｔｐを有する。いくつかの実施形態では、負位相トレーンの中のすぐ次の後続位相の間の休止時間は、共通休止時間値ｒｔｎを有する。いくつかの実施形態では、正位相トレーンの中、および負位相トレーンの中のすぐ次の後続位相の間の休止時間は、共通休止時間値ｒｔｌを有する。
【００１７】
いくつかの実施形態では、第１および第２の時間比率のそれぞれが、所定の閾値比率より少ないとき、適合させることは、少なくとも１つの休止時間の時間を増大させることを含み、第１および第２の時間比率のそれぞれが、所定の閾値比率以上であるとき、適合させることは、電極によって提供される電圧を増大させること、および少なくとも１つの休止時間の時間を所定の最小休止時間値まで減少させることを含む。
【００１８】
いくつかの実施形態では、第１および第２の時間比率のそれぞれが、所定の閾値比率より少ないとき、適合させることは、各休止時間の時間を増大させることを含み、第１および第２の時間比率のそれぞれが、所定の閾値比率以上であるとき、適合させることは、電極によって提供される電圧を増大させること、および各休止時間の時間を所定の最小休止時間値まで減少させることを含む。
【００１９】
いくつかの実施形態では、適合させることは、少なくとも１つの正位相または少なくとも１つの負位相の位相幅を適合させることをさらに含む。いくつかの実施形態では、位相幅を適合させることは、各正位相および各負位相の位相幅を適合させることを含む。
【００２０】
いくつかの実施形態では、正位相トレーンの時間は、負位相トレーンの時間とは異なる。いくつかの実施形態では、正位相の累積時間は、負位相の累積時間とは異なる。いくつかの実施形態では、正位相トレーンの中の正位相の間の休止時間の累積時間は、負位相トレーンの中の負位相の間の休止時間の累積時間とは異なる。
【００２１】
いくつかの実施形態では、正位相トレーンの中の正位相の数は、負位相トレーンの中の負位相の数とは異なる。いくつかの実施形態では、正位相トレーンの時間は、負位相トレーンの時間と等しい。いくつかの実施形態では、正位相の累積時間は、負位相の累積時間と等しい。
【００２２】
いくつかの実施形態では、正位相トレーンの中の正位相の間の休止時間の累積時間は、負位相トレーンの中の負位相の間の休止時間の累積時間と等しい。
【００２３】
いくつかの実施形態では、正位相トレーンの中の正位相の数は、負位相トレーンの中の負位相の数と等しい。
【００２４】
いくつかの実施形態では、頭部の領域は、頭部の毛髪で覆われた領域である。いくつかの実施形態では、係合させることは、頭部の毛髪で覆われた領域で電極を係合させることを含む。いくつかの実施形態では、頭部の領域は、電気刺激が、頭部の領域の中の頭部神経に送達されるように、頭部神経を含む。
【００２５】
いくつかの実施形態では、係合させることは、少なくとも２つの電極および電子回路を含むヘッドセットを、少なくとも２つの電極が、頭皮の表面に係合するように、ユーザの頭部上に装着することを含む。
【００２６】
いくつかの実施形態では、所定の閾値比率は、０．４〜１．２、０．５〜１、または０．５５〜０．７５の範囲である。いくつかの実施形態では、所定の閾値比率は、０．６である。
【００２７】
いくつかの実施形態では、正位相トレーンの中、および負位相トレーンの中の各休止時間の時間は、最小休止時間の時間に少なくとも等しい。いくつかの実施形態では、最小休止時間の時間は、５μｓｅｃである。
【００２８】
いくつかの実施形態では、正位相のそれぞれ、および負位相のそれぞれの位相幅は、最大位相幅以下である。いくつかの実施形態では、最大位相幅は、６００μｓｅｃ以下、４００μｓｅｃ以下、２００μｓｅｃ以下、１００μｓｅｃ以下、または５０μｓｅｃ以下である。
【００２９】
いくつかの実施形態では、監視することは、電極によって実行される。
【００３０】
いくつかの実施形態では、監視することは、電極外部の少なくとも１つのセンサによって実行され、センサは、ユーザの頭皮の皮膚に係合しており、電子回路と機能的に関連付けられている。
【００３１】
いくつかの実施形態では、監視することは、正位相および負位相ごとに、提供された波形が、意図された波形と同一であるかどうかを識別するために、提供された波形を正位相および負位相ごとに監視することを含み、提供された波形が意図された波形と同一でない場合に、電荷の減少が、識別される。
【００３２】
いくつかの実施形態では、適合させることは、第１の時間比率および第２の時間比率の少なくとも１つを適合させることを含む。いくつかの実施形態では、適合させることは、第１の時間比率および第２の時間比率を適合させることを含む。
【００３３】
いくつかの実施形態では、適合させることは、正位相トレーンの中の正位相の数を変更することをさらに含む。いくつかの実施形態では、適合させることは、負位相トレーンの中の負位相の数を変更することをさらに含む。いくつかの実施形態では、適合させることは、正位相および負位相の少なくとも１つの振幅を変更することをさらに含む。
【００３４】
いくつかの実施形態では、監視することは、電子回路が電極のインピーダンスを測定することをさらに含み、適合させることは、インピーダンスがインピーダンス閾値を超えていることを識別すると行われる。
【００３５】
いくつかの実施形態では、監視することは、電極によって送給された電圧を監視することをさらに含み、適合させることは、電圧が上側電圧閾値に達していることが識別されると行われる。いくつかの実施形態では、上側電圧閾値は、コンプライアンス電圧である。
【００３６】
いくつかの実施形態では、方法は、監視することの後に、所定の電荷量が、正位相および負位相のそれぞれによって提供されており、そして段階（ｅ）が完了していることを示すこと、加えて、正位相および負位相によって送給された電荷の変化を識別するために、正位相および負位相によって送給された電荷量を監視することをさらに含む。
【００３７】
いくつかの実施形態では、変化は、正位相および負位相が提供される状態の変化を示す。いくつかの実施形態では、状態の変化には、少なくとも２つの電極の間で測定されたインピーダンスの変化が含まれる。
【００３８】
いくつかの実施形態では、付加的に監視することが、周期的に実行される。
【００３９】
いくつかの実施形態では、付加的に監視することが、断続的に実行される。
【００４０】
いくつかの実施形態では、付加的に監視することは、ユーザからの表示を受け取ったことに応えて実行される。いくつかの実施形態では、表示には、不快感または痛みの表示が含まれる。
【００４１】
いくつかの実施形態では、付加的に監視することは、湿度センサから、電極に隣接する区域における湿度の変化を示す信号を受け取ったことに応えて実行される。
【００４２】
いくつかの実施形態では、付加的に監視することは、温度センサから、電極に隣接する区域における温度の変化を示す信号を受け取ったことに応えて実行される。
【００４３】
いくつかの実施形態では、付加的に監視することは、加速度計から、ユーザの位置、電極の位置、および電極に加えられた圧力の少なくとも１つの変化を示す信号を受け取ったことに応えて実行される。
【００４４】
いくつかの実施形態では、付加的に監視することは、圧力センサから、電極に加えられた圧力の変化を示す信号を受け取ったことに応えて実行される。
【００４５】
いくつかの実施形態では、方法は、付加的に監視することによって状態の変化を識別した後に、方法の段階（ｄ）および（ｅ）を繰り返すことをさらに含む。
【００４６】
いくつかの実施形態では、方法は、第１の時間比率および第２の時間比率が所定の閾値比率に達し、電圧が所定の電圧閾値に達した後に、電気刺激の付与を終了すること、および治療が終了されたことをユーザに通知することをさらに含む。
【００４７】
いくつかの実施形態では、方法は、段階（ａ）の後、そして段階（ｂ）の前に、
正位相およびその直後に続く負位相を含む平衡単一定電流パルスを、係合された電極を介して送給することであって、正位相および負位相は、ユーザの頭部に所定量の電荷を提供することを目的としている、定電流パルスを送給することと、
単一パルスの送給の間に電子回路のインピーダンスが、所定のインピーダンス閾値に達したことを識別することと、をさらに含む。
【００４８】
いくつかの実施形態では、方法は、段階（ａ）の後、そして段階（ｂ）の前に、
正位相およびその直後に続く負位相を含む平衡単一定電流パルスを、係合された電極を介して送給することであって、正位相および負位相は、ユーザの頭部に所定量の電荷を提供することを目的としている、定電流パルスを送給することと、
単一定電流パルスを送給するのに必要とされる電圧が、上側電圧閾値に達したことを識別することとをさらに含む。
【００４９】
いくつかの実施形態では、上側電圧閾値は、電子回路のコンプライアンス電圧である。
【００５０】
本発明のいくつかの教示によれば、頭部装着デバイスが提供されており、頭部装着デバイスは、
頭部装着デバイスが装着されるとき、ユーザの頭皮に係合し、休止時間によって区切られる定電流正位相のストリークを含む正位相トレーンを含む平衡パルスをユーザの頭皮に送給するように構成される、少なくとも１対の電極であって、正位相トレーンのすぐ後に、休止時間によって区切られる定電流負位相のストリークを含む、負位相トレーンが続き、正位相および負位相のそれぞれは、ユーザの頭部に所定の電荷量を提供することを目的としており、
正位相トレーンの中の正位相の間の休止時間の累積時間と正位相の累積時間との間の第１の時間比率、および負位相トレーンの中の負位相の間の休止時間の累積時間と負位相の累積時間との間の第２の時間比率のそれぞれは、所定の閾値比率より小さく、
正位相および負位相が、共通位相幅ｗ１を有し、そして、
正位相トレーンの中のすぐ次の後続位相と、負位相トレーンの中のすぐ次の後続位相との間の休止時間が、共通休止時間値ｒｔ１を有する、少なくとも１対の電極と、
頭部装着デバイスがユーザによって装着され、そしてパルスの伝達の間、ユーザの頭皮の皮膚に係合し、正位相および負位相によって送給された電荷量を監視するように適合される少なくとも１つのセンサと、
少なくとも２つの電極に機能的に関連付けられ、コンプライアンス電圧を有する電子回路と、
電極に指示を提供するために電極に機能的に関連付けられ、センサから入力を受信するために少なくとも１つのセンサを備えた処理装置であって、処理装置は、
（ａ）少なくとも１つのセンサから入力を受信する、
（ｂ）受信された入力において、正位相および負位相の１つまたは複数によって送給された電荷の減少を識別する、
（ｃ）低下を識別すると、即座に、共通休止時間値を適合させる入力を電極に提供する、および
（ｄ）段階（ａ）〜（ｃ）を、
所定の電荷量が、正位相および負位相のそれぞれによって提供される、または
第１の時間比率および第２の時間比率の少なくとも１つが、所定の閾値比率に達し、平衡パルスの電圧が、所定の電圧閾値に達するまで、繰り返す
ようにプログラムされた、処理装置と、
を含む。
【００５１】
いくつかの実施形態では、処理装置は、
第１および第２の時間比率のそれぞれが、所定の閾値比率より少ないとき、共通休止時間値を増大させる入力を電極に提供し、
第１および第２の時間比率のそれぞれが、所定の閾値比率以上であるとき、電極によって提供される電圧を増大させ、共通休止時間値を、所定の最小休止時間値まで減少させる入力を電極に提供するようにさらにプログラムされる。
【００５２】
いくつかの実施形態では、処理装置は、共通位相幅を適合させる入力を電極に提供するようにさらに構成される。
【００５３】
本発明のいくつかの教示によれば、頭部装着デバイスが提供されており、頭部装着デバイスは、
頭部装着デバイスが装着されるとき、ユーザの頭皮に係合し、休止時間によって区切られる定電流正位相のストリークを含む正位相トレーンを含む平衡パルスをユーザの頭皮に送給するように構成される、少なくとも１対の電極であって、正位相トレーンのすぐ後に、休止時間によって区切られる定電流負位相のストリークを含む、負位相トレーンが続き、正位相および負位相のそれぞれは、ユーザの頭部に所定の電荷量を提供することを目的としており、正位相トレーンの中の正位相の間の休止時間の累積時間と正位相の累積時間との間の第１の時間比率、および負位相トレーンの中の負位相の間の休止時間の累積時間と負位相の累積時間との間の第２の時間比率のそれぞれは、所定の閾値比率より小さい、少なくとも１対の電極と、
頭部装着デバイスがユーザによって装着され、そしてパルスの伝達の間、頭皮の皮膚に係合し、正位相および負位相によって送給された電荷量を監視するように適合される少なくとも１つのセンサと、
少なくとも２つの電極に機能的に関連付けられ、コンプライアンス電圧を有する電子回路と、
電極に指示を提供するために電極に機能的に関連付けられ、センサから入力を受信するために少なくとも１つのセンサを備えた処理装置であって、処理装置は、
（ａ）少なくとも１つのセンサから入力を受信する、
（ｂ）受信された入力において、正位相および負位相の１つまたは複数によって送給された電荷の減少を識別する、
（ｃ）低下を識別すると、即座に、正位相トレーンおよび負位相トレーンの少なくとも１つの少なくとも１つの休止時間を適合させる入力を電極に提供する、および
（ｄ）段階（ａ）〜（ｃ）を
所定の電荷量が、正位相および負位相のそれぞれによって提供される、または
第１の時間比率および第２の時間比率の少なくとも１つが、所定の閾値比率に達し、平衡パルスの電圧が、所定の電圧閾値に達するまで、繰り返す
ようにプログラムされた、処理装置と、
を含む。
【００５４】
いくつかの実施形態では、電極は、正位相トレーンの中の正位相が、共通位相幅ｗｐを有するパルスを送給するように構成される。いくつかの実施形態では、電極は、負位相トレーンの中の負位相が、共通位相幅ｗｎを有するパルスを送給するように構成される。いくつかの実施形態では、電極は、正位相トレーンの中の正位相および負位相トレーンの中の負位相が、共通位相幅ｗ１を有するパルスを送給するように構成される。
【００５５】
いくつかの実施形態では、電極は、正位相トレーンの中のすぐ次の後続位相の間の休止時間が、共通休止時間値ｒｔｐを有するパルスを送給するように構成される。いくつかの実施形態では、電極は、負位相トレーンの中のすぐ次の後続位相の間の休止時間が、共通休止時間値ｒｔｎを有するパルスを送給するように構成される。いくつかの実施形態では、電極は、正位相トレーンの中、および負位相トレーンの中のすぐ次の後続位相の間の休止時間が、共通休止時間値ｒｔ１を有するパルスを送給するように構成される。
【００５６】
いくつかの実施形態では、処理装置は、
第１および第２の時間比率のそれぞれが、所定の閾値比率より少ないとき、少なくとも１つの休止時間の時間を増大させる入力を電極に提供し、
第１および第２の時間比率のそれぞれが、所定の閾値比率以上であるとき、電極によって提供される電圧を増大させ、少なくとも１つの休止時間の時間を所定の最小休止時間値まで減少させる入力を電極に提供するようにさらにプログラムされる。
【００５７】
いくつかの実施形態では、処理装置は、
第１および第２の時間比率のそれぞれが、所定の閾値比率より少ないとき、各休止時間の時間を増大させる入力を電極に提供し、
第１および第２の時間比率のそれぞれが、所定の閾値比率以上であるとき、電極によって提供される電圧を増大させ、各休止時間の時間を所定の最小休止時間値まで減少させる入力を電極に提供するようにさらにプログラムされる。
【００５８】
いくつかの実施形態では、処理装置は、少なくとも１つの正位相または少なくとも１つの負位相の位相幅に適合させる入力を電極に提供するようにさらにプログラムされる。いくつかの実施形態では、処理装置は、各正位相および各負位相の位相幅に適合させる入力を電極に提供するようにさらにプログラムされる。
【００５９】
いくつかの実施形態では、電極は、正位相トレーンの時間が、負位相トレーンの時間とは異なるパルスを送給するように構成される。いくつかの実施形態では、電極は、正位相の累積時間が、負位相の累積時間とは異なるパルスを送給するように構成される。いくつかの実施形態では、電極は、正位相トレーンの中の正位相の間の休止時間の累積時間が、負位相トレーンの中の負位相の間の休止時間の累積時間とは異なるパルスを送給するように構成される。
【００６０】
いくつかの実施形態では、電極は、正位相トレーンの中の正位相の数が負位相トレーンの中の負位相の数とは異なるパルスを送給するように構成される。いくつかの実施形態では、電極は、正位相トレーンの時間が負位相トレーンの時間と等しいパルスを送給するように構成される。いくつかの実施形態では、電極は、正位相の累積時間が負位相の累積時間と等しいパルスを送給するように構成される。
【００６１】
いくつかの実施形態では、電極は、正位相トレーンの中の正位相の間の休止時間の累積時間が、負位相トレーンの中の負位相の間の休止時間の累積時間と等しいパルスを送給するように構成される。いくつかの実施形態では、電極は、正位相トレーンの中の正位相の数が、負位相トレーンの中の負位相の数と等しいパルスを送給するように構成される。
【００６２】
いくつかの実施形態では、デバイスは、ユーザの頭部上に装着されるように適合された本体部材をさらに含み、電極およびセンサが、本体部材の内面に載置されている。
【００６３】
いくつかの実施形態では、頭部の領域は、頭部の毛髪で覆われた領域である。いくつかの実施形態では、電極は、頭部装着デバイスが装着されるとき、頭部の毛髪で覆われた領域に係合するように構成される。いくつかの実施形態では、電極が、頭部の領域の中の頭部神経に電気刺激を送給するように構成されるように、頭部の領域は、頭部神経を含む。
【００６４】
いくつかの実施形態では、所定の閾値比率は、０．４〜１．２、０．５〜１、または０．５５〜０．７５の範囲である。いくつかの実施形態では、所定の閾値比率は、０．６である。
【００６５】
いくつかの実施形態では、電極は、正位相トレーンの中、および負位相トレーンの中の各休止時間の時間が、最小休止時間の時間と、少なくとも等しいパルスを送給するように構成される。いくつかの実施形態では、最小休止時間の時間は、５μｓｅｃである。
【００６６】
いくつかの実施形態では、電極は、正位相のそれぞれおよび負位相のそれぞれの位相幅が、最大位相幅以下であるパルスを送給するように構成される。いくつかの実施形態では、最大位相幅は、６００μｓｅｃ以下、４００μｓｅｃ以下、２００μｓｅｃ以下、１００μｓｅｃ以下、または５０μｓｅｃ以下である。
【００６７】
いくつかの実施形態では、少なくとも１つのセンサは、電極の少なくとも１つである。
【００６８】
いくつかの実施形態では、少なくとも１つのセンサは、電極の外部にあり、電子回路と機能的に関連付けられている。
【００６９】
いくつかの実施形態では、少なくとも１つのセンサは、正位相および負位相のそれぞれの提供された波形を監視するように構成され、処理装置が、正位相および負位相ごとに、提供された波形が、意図された波形と同一であるかどうかを識別するように、および提供された波形が意図された波形と同一ではない場合に、電荷の減少を識別するように構成される。
【００７０】
いくつかの実施形態では、処理装置は、第１の時間比率および第２の時間比率の少なくとも１つを適合させる指示を電極に提供するように構成される。いくつかの実施形態では、処理装置は、第１の時間比率および第２の時間比率を適合させる指示を電極に提供するように構成される。
【００７１】
いくつかの実施形態では、処理装置は、正位相トレーンの中の正位相の数を変更する指示を電極に提供するように構成される。いくつかの実施形態では、処理装置は、負位相トレーンの中の負位相の数を変更する指示を電極に提供するように構成される。いくつかの実施形態では、処理装置は、正位相および負位相の少なくとも１つの振幅を変更する指示を電極に提供するように構成される。
【００７２】
いくつかの実施形態では、少なくとも１つのセンサは、電子回路のインピーダンスを監視するように構成され、処理装置は、インピーダンスがインピーダンス閾値を超えていることを識別するように構成される。
【００７３】
いくつかの実施形態では、少なくとも１つのセンサは、電極によって送給される電圧を監視するように構成され、処理装置は、電圧が上側電圧閾値に達していることを識別するように構成される。いくつかの実施形態では、上側電圧閾値は、コンプライアンス電圧である。
【００７４】
いくつかの実施形態では、処理装置が、所定の電荷量が、正位相および負位相のそれぞれによって提供され、段階（ｄ）が完了したことを識別した後に、処理装置は、少なくとも、少なくとも１つのセンサからの付加的な入力を受信し、正位相および負位相によって送給される電荷の変化、および正位相および負位相が提供されている状態の変化の少なくとも１つを識別するように構成される。
【００７５】
いくつかの実施形態では、少なくとも１つのセンサは、少なくとも２つの電極の間のインピーダンスの変化を測定し、測定値を付加的な入力として処理装置に提供するように構成される。
【００７６】
いくつかの実施形態では、デバイスは、処理装置および少なくとも１つのセンサの少なくとも１つと機能的に関連付けられ、周期的に付加的な入力を提供するために少なくとも１つのセンサを起動させるように構成されたタイマをさらに含む。
【００７７】
いくつかの実施形態では、デバイスは、処理装置と機能的に関連付けられたユーザインターフェースをさらに含み、付加的な入力には、ユーザインターフェースを介してユーザによって提供される入力が含まれる。いくつかの実施形態では、付加的な入力には、ユーザによって提供される不快感または痛みの表示が含まれる。
【００７８】
いくつかの実施形態では、デバイスは、処理装置と機能的に関連付けられ、電極に隣接した区域の湿度を感知するように構成された湿度センサをさらに含み、付加的な入力には、湿度センサから処理装置に提供される信号が含まれ、信号が、電極に隣接する区域における湿度の変化を示す。
【００７９】
いくつかの実施形態では、デバイスは、処理装置と機能的に関連付けられ、電極に隣接した区域の温度を感知するように構成された温度センサをさらに含み、付加的な入力には、温度センサから処理装置に提供される信号が含まれ、信号が、電極に隣接する区域における温度の変化を示す。
【００８０】
いくつかの実施形態では、デバイスは、処理装置と機能的に関連付けられ、ユーザの位置および電極の位置の少なくとも１つを感知するように構成された加速度計をさらに含み、付加的な入力には、加速度計から処理装置に提供される信号が含まれ、信号が、ユーザの位置、電極の位置、および電極に加えられた圧力の少なくとも１つの変化を示す。
【００８１】
いくつかの実施形態では、デバイスは、処理装置と機能的に関連付けられ、電極に加えられた圧力を感知するように構成された圧力センサをさらに含み、付加的な入力には、圧力センサから処理装置に提供される信号が含まれ、信号が、電極に加えられた圧力の変化を示す。
【００８２】
いくつかの実施形態では、処理装置は、状態の変化を識別した後に、段階（ｃ）および（ｄ）を繰り返すようにさらに構成される。
【００８３】
いくつかの実施形態では、デバイスは、処理装置と機能的に関連付けられたユーザ通知モジュールをさらに含み、第１の時間比率および第２の時間比率の少なくとも１つが、所定の閾値比率に達し、電圧が、所定の電圧閾値に達した後、処理装置が、電気刺激の付与を終了し、ユーザ通知モジュールが、治療が終了されたことをユーザに通知する。
【００８４】
いくつかの実施形態では、電極は、正位相トレーンおよび負位相トレーンの送給の前に、正位相およびその直後に続く負位相を含み、正位相および負位相が、ユーザの頭部に所定量の電荷を提供することを目的としている、平衡単一定電流パルスを送給するように構成され、処理装置は、正位相トレーンおよび負位相トレーンの送給の前に、電子回路のインピーダンスが、単一パルスの送給の間に所定のインピーダンス閾値に達したことを識別するように構成される。
【００８５】
いくつかの実施形態では、電極は、正位相トレーンおよび負位相トレーンの送給の前に、正位相およびその直後に続く負位相を含み、正位相および負位相が、ユーザの頭部に所定量の電荷を提供することを目的としている、平衡単一定電流パルスを送給するように構成され、処理装置は、正位相トレーンおよび負位相トレーンの送給の前に、単一定電流パルスを送給するのに必要な電圧が、いくつかの実施形態では電子回路のコンプライアンス電圧である、上側電圧閾値に達したことを識別するように構成される。
【００８６】
本発明は、添付の図面に関連させながら、ほんの一例として本明細書に記載される。これより、図面を詳細に参照するに当たり、示される詳細は、本発明の一例として、好適な実施形態を例証的に検討するためのものにすぎず、本発明の原理および概念上の態様についての、最も有用で、理解し易い記述であると考えられるものを提供するために提示されていることを強調しておく。この点に関して、本発明の構造細部を、本発明を基礎的に理解するのに必要とされるものよりもさらに詳細に示そうとする試みは、なされておらず、この記述を図面と併せて理解することで、本発明のいくつかの形が実際に具現化され得る方法が当業者には明らかとなろう。図面の全体を通じて、類似の参照符号文字は、必ずしも同一の要素ではなく、類似の機能性を意味するために使用されている。
【図面の簡単な説明】
【００８７】
【図１Ａ】本明細書における教示の実施形態による、神経刺激用の発明システムの実施形態についての概略ブロック図である。
【図１Ｂ】本明細書における教示による、外部データ源と通信するヘッドセットの形をした、図１Ａの発明システムの実施形態の斜視図の概略図である。
【図２】図１Ａのシステムを使用して、本明細書における教示による、高インピーダンスを有する頭部領域を神経刺激するための方法の実施形態の流れ図である。
【図３】本明細書における教示による、図２の方法を個人用にカスタマイズするための方法の実施形態の流れ図である。
【図４Ａ−Ｃ】異なるインピーダンスを経験するとき、本明細書における教示の実施形態によって伝送されるパルスの概略図であり、図４Ａは、基準インピーダンス状態下のパルスによって提供された電流を図示し、図４Ｂは、高インピーダンス状態下のパルスによって提供された電流を図示し、および図４Ｃは、高インピーダンス状態下のパルスを提供する電極上の電圧を図示する。
【図５Ａ−Ｃ】本明細書における教示の実施形態による、正位相の位相トレーンおよび負位相の位相トレーンを含むパルスの概略図であり、それぞれの図は、請求項２の方法の異なる段階に対応しており、図５Ａは、十分な電荷を提供する位相トレーンパルスを図示し、図５Ｂは、図５Ａの位相トレーンパルスに類似しているが、十分な電荷を提供しない位相トレーンパルスを図示し、および図５Ｃは、十分な電荷を提供し、位相の間により長い休止時間を有する、第２の位相トレーンパルスを図示する。
【図６Ａ】提供されるパルスを変更した後の、電圧および錯感覚の変化を示す実験結果を含む表を図示し、実験結果は、図１Ａのシステムおよび図２の方法を使用して取得されている。
【図６Ｂ−Ｃ】パルスが変化した結果としての電圧の変化、およびパルスが変化した結果としての錯感覚の変化についての図式的なグラフィック表示を提示し、図６Ｂおよび図６Ｃに関するデータは、図６Ａの表から取り出されている。
【発明を実施するための形態】
【００８８】
末梢神経および／または脳神経の刺激、脳領域の経頭蓋刺激のために、そして組織を監視し、電気刺激信号をユーザの特性および経時的な変化に適合させながら、身体パラメータを感知するために、頭部領域に電気刺激を与える、システムおよび方法が、本明細書に記載される。システムおよび方法は、頭皮組織への損傷ならびにユーザにとっての不快感を回避しながら、効果的な電気刺激を確実にし、安全および丈夫な様式で動作する。
【００８９】
本発明の方法は、偏頭痛、および緊張性頭痛、群発性頭痛、線維筋痛、欝状態、外傷後ストレス障害（ＰＴＳＤ）、不安、強迫性障害（ＯＣＤ）、不眠症、癲癇、注意欠陥過活動性障害（ＡＤＨＤ）、パーキンソン病、アルツハイマー病、肥満症、多発性硬化症、外傷性脳損傷（ＴＢＩ）および脳卒中などのさまざまな状態を治療するために、本発明の方法によって電気刺激を与えるためのプラットホームとして機能する、頭部に装着される構造物を使用して適用され得る。
【００９０】
刺激電極と頭皮との間の接触の質は、神経刺激の提供における基本的な態様である。このような接触および結果として生じる導電率が必ずしも最適ではないという事実から、発明者は、ユーザの皮膚の保全性、快適性を維持し、かつ適切な神経刺激を確実にしながら、例えば毛髪の存在、湿度の不足等に起因した導電率の低下またはインピーダンスの増加を補償するための方法を開発した。
【００９１】
純粋知覚神経の電気刺激は、錯感覚の感覚を神経の分布に沿って放散することを誘発する。関連性のある解剖学的区域における錯感覚の存在は、効果的な神経興奮が行われていることを表している。反対に、刺激の間、神経の分布沿いの錯感覚がないことは、極端に低い強度、不十分な電流密度または電荷などの、不適切な刺激パラメータに因って、または不適切な電極位置または高インピーダンスなどの他の理由に因って、効果的な神経興奮に達することができないことを反映している可能性がある。
【００９２】
錯感覚を誘発することは、同様に痛みの治療における重要な因子である。「ゲートコントロール説」によれば、錯感覚の知覚によって表される大きい感覚Ａβ神経繊維の活性化は、結果として小直径侵害受容ＡδおよびＣ線維の抑制につながり、それによって、痛みの知覚を妨げる。したがって、神経刺激治療の間、錯感覚をユーザが知覚することを維持することが望ましい。いくつかの本発明の態様は、電流が、組織に加えられる電圧を十分に低く保ちながら、電極から標的組織まで適切に、かつ効果的に送給されることを確実にすることを目指している方法および技術に関する。
【００９３】
次に、本明細書における教示の実施形態による、神経刺激用の発明システムの実施形態についての概略ブロック図である図１Ａを参照する。
【００９４】
見られるように、神経刺激用システム１００は、少なくとも２つの刺激電極１０２を含むことができ、いくつかの実施形態では、少なくとも２つの感知電極１０４をさらに含むことができ、電極１０２および１０４は共に、電子回路１０６と機能的に関連付けられる。刺激電極１０２は、以下に記載されるように、それに電流を送給するように、ユーザの頭皮の皮膚に係合するように適合される。いくつかの実施形態では、１つまたは複数の感知電極１０４は、ユーザの皮膚に係合するように適合されることができ、例えば脳波（ＥＥＧ：Ｅｌｅｃｔｒｏｅｎｃｅｐｈａｌｏｇｒａｍ）、皮膚伝導反応（ＳＣＲ：Ｓｋｉｎ  Ｃｏｎｄｕｃｔａｎｃｅ  Ｒｅｓｐｏｎｓｅ）、インピーダンスプレチスモグラフ（ＩＰＧ：Ｉｍｐｅｄａｎｃｅ  Ｐｌｅｔｈｙｓｍｏｇｒａｐｈ）、筋電計（ＥＭＧ：Ｅｌｅｃｔｒｏｍｙｏｇｒａｐｈ）などの、ユーザの身体部分の少なくとも１つの電気的パラメータを感知するように構成され得る。
【００９５】
本明細書における教示の特徴によれば、システム１００、そして特に電子回路１０６は、適切な方法を用いて、経頭蓋直流刺激（ｔＤＣＳ：Ｔｒａｎｓｃｒａｎｉａｌ  Ｄｉｒｅｃｔ  Ｃｕｒｒｅｎｔ  Ｓｔｉｍｕｌａｔｉｏｎ）、経頭蓋交流刺激（ｔＡＣＳ：Ｔｒａｎｓｃｒａｎｉａｌ  Ａｌｔｅｒｎａｔｉｎｇ  Ｃｕｒｒｅｎｔ  Ｓｔｉｍｕｌａｔｉｏｎ）、および経頭蓋不規則雑音刺激（ｔＲＮＳ：Ｔｒａｎｓｃｒａｎｉａｌ  Ｒａｎｄｏｍ  Ｎｏｉｓｅ  Ｓｔｉｍｕｌａｔｉｏｎ）などの経頭蓋電気刺激を与えるのに好適であり得る。
【００９６】
見られるように、電子回路１０６は、マイクロコントローラ１０８、高電圧回路１１０、刺激回路１１２、内部電源１１４、高周波（ＲＦ）送受信機１１６、アナログ信号処理回路１１８、充電回路１２２と電気的に関連付けられる充電式電池１２０、加速度計１２６、温度センサ１２８、圧力センサ１３０、および湿度センサ１３２の１つまたは複数を含むセンサアレイ１２４、およびユーザインターフェース１３４のいずれか１つまたは複数を含むことができる。
【００９７】
いくつかの実施形態では、電子回路１０６は、内部電源１１４に電気的接続される充電式電池１２０と電気的に関連付けられ、充電式電池１２０によって電力を供給され得る。いくつかの実施形態では、内部電源１１４は、次に刺激回路１１２に電気的に接続される高電圧回路１１０に電力を提供する。充電回路１２２は、充電式電池１２０と電気的に関連付けられ、充電器１４０などの外部電源と連動することができる。高電圧回路１１０は、１から１５０Ｖの範囲の電圧の電流を刺激回路１１２に提供する。
【００９８】
いくつかの実施形態では、刺激回路１１２は、マイクロコントローラ１０８から情報および／または命令を受信する。刺激回路１１２は、刺激電極１０２を介してユーザの神経組織に電気刺激パルスを提供するように構成される。
【００９９】
刺激回路１１２は、二相性荷電平衡電気パルス、単相性電気パルス、および／または直流刺激を作り出すように構成され得る。
【０１００】
記載された好適な実施形態のさらなる別の特徴によれば、刺激回路１１２は、０〜６０ｍＡ、０〜４０ｍＡ、０〜２０ｍ、または０〜１５ｍＡの強度範囲内の電気刺激を作り出すように構成され得る。
【０１０１】
記載された好適な実施形態のさらなる別の特徴によれば、刺激回路１１２は、１０〜１０００μｓｅｃ、５０〜６００μｓｅｃ、１００〜５００μｓｅｃの時間の刺激パルスを作り出すように構成され得る。
【０１０２】
記載された好適な実施形態のさらなる別の特徴によれば、刺激回路１１２は、１〜２０，０００Ｈｚ、１〜１０，０００Ｈｚ、１〜５００Ｈｚ、１０〜３００Ｈｚ、１０〜２５０Ｈｚ、２０〜１８０Ｈｚ、３０〜１８０Ｈｚ、または４０〜１００Ｈｚの周波数の刺激パルスを作り出すように構成され得る。
【０１０３】
いくつかの実施形態では、電子回路１０６は、回路１１２に類似した２つ以上の高電圧回路（図示せず）を含むことができ、各高電圧回路は、１〜１５０Ｖ、１〜１２０Ｖ、１〜１００Ｖの電圧の電流を刺激電極１０２の少なくとも２つに提供する。いくつかの実施形態では、電子回路１０６は、少なくとも２つの単離された出力チャネル（図示せず）を含むことができ、各出力チャネルは、刺激電極１０２の少なくとも２つに出力を提供する。
【０１０４】
いくつかの実施形態では、電子回路１０６は、刺激電極１０２から電圧または電流のレベル情報を収集し、収集された情報をマイクロコントローラ１０８に提供するフィードバックおよび測定回路１４２をさらに含む。マイクロコントローラ１０８は、図２および図３に関して本明細書で開示されている方法によって、提供されたフィードバックを使用して、刺激回路１１２を介して刺激電極１０２の電圧および電流レベルを監視および制御する。いくつかの実施形態では、マイクロコントローラ１０８は、例えば音声式または触覚式の表示を提供することによって、ユーザを警告することができる、または、図２を参照しながら以下に記載されるように、緊急事態の場合、またはシステムが不正確に機能する場合、刺激用電流の提供を停止させることができる。
【０１０５】
いくつかの実施形態では、マイクロコントローラ１０８は、刺激回路１１２にさまざまなパターンでおよび／またはさまざまな期間にわたって電流を出力するように指示することができ、および／または図２を参照しながら以下に記載されるように、電流振幅、パルス周波数、位相時間、および刺激回路によって出力される電流の振幅などの、さまざまな刺激パラメータに関して刺激回路１１２に指示することができる。
【０１０６】
いくつかの実施形態では、マイクロコントローラ１０８は、刺激回路１１２に複数の活性電極対ごとに異なるパターンを有する出力信号を提供するように指示することができる。例えば、刺激回路１１２は、ある対の電極を５０Ｈｚのパルス周波数および３００μｓｅｃの位相時間で刺激し、別の対の電極を１００Ｈｚのパルス周波数および２００μｓｅｃの位相時間で刺激することができる。いくつかの実施形態では、いずれの時にも、マイクロコントローラ１０８は、１対の電極だけを活性化することができ、電極の組合せを活性化することができ、および／またはいくつかの電極を同時に、順次、または、交互に活性化することができる。
【０１０７】
いくつかの実施形態では、いくつかの電極１０２は、出力として、交流信号を提供することができ、他方で、他の電極１０２は、出力として直流を提供することができる。いくつかの実施形態では、少なくとも２つの電極１０２は、出力として提供される電流の型を、交流と直流の間で交互に切り替えることができる。
【０１０８】
いくつかの実施形態では、脳の特定の領域の興奮が、脳のその領域の上に配置される電極の有極性に基づいて決定される直流刺激の間、少なくとも１つの電極１０２は、マイクロコントローラ１０８によって、陽極または正荷電電極であるように割り当てられることができ、少なくとも１つの他の電極１０２は、陰極または負荷電電極であるように割り当てられることができる。
【０１０９】
いくつかの実施形態では、図２を参照しながら以下に記載されるように、マイクロコントローラ１０８によって決定される、または割り当てられる刺激パターン、ならびに電極１０２からおよび／または感知電極１０４から受信したフィードバックデータは、マイクロコントローラ１０８の中、またはそれと関連付けられる揮発性または不揮発性メモリ（図示せず）の中に保存されることができる。いくつかの実施形態では、図３を参照しながら以下に記載されるように、保存された刺激パターンを使用して、ユーザ用に個人的にカスタマイズされた神経刺激プロトコルを作成することができる。
【０１１０】
いくつかの実施形態では、電子回路１０６は、感知電極１０４などの１つまたは複数のセンサから、脳波（ＥＥＧ）信号、皮膚伝導反応（ＳＣＲ）信号、インピーダンスプレチスモグラフ（ＩＰＧ）信号、筋電計（ＥＭＧ）信号、または他の生体信号などの、アナログ信号入力を受信するように構成されることができ、生体信号は、神経刺激信号を受信している組織のインピーダンス、組織に提供された電荷等を表すことができる。感知電極１０４から受信されたアナログ信号入力は、アナログ信号処理回路１１８によって処理されることができ、そこからマイクロコントローラ１０８に伝送され得る。いくつかの実施形態では、電子回路１０６は、ユーザの近接度またはその特性を感知するように適合された付加的なセンサから、デジタル入力、アナログ入力、または他の入力を受信するように構成され得る。いくつかの実施形態では、１つまたは複数の刺激パラメータは、以下に記載されるように、１つまたは複数の付加的なセンサから受信された入力に因って、マイクロコントローラ１０８によって変更され得る。
【０１１１】
いくつかの実施形態では、加速度計１２６または何らかの他の適切な方位センサは、ユーザの頭部またはシステム１００（および特にそこにおいてユーザの頭部に係合する部分）の角度位置を感知するように構成されることができ、それによって、マイクロコントローラ１０８は、ユーザの状態および／またはシステムの状態の変化を識別すること、および刺激電極１０２によって提供されたパルスを調整する、または適合させることができるようになる。例えば、ユーザの位置の変化は、結果的に、電極に加えられる圧力の変化をもたらす場合があり、したがって、以下に記載されるように、電極がユーザの皮膚に近接する程度を変化させ、その結果として、システムのインピーダンスを変化させて、電極を介して組織に与えられるパルスを適合させることが必要となる。
【０１１２】
いくつかの実施形態では、温度センサ１２８は、システム１００の、または刺激電極１０２付近の温度を感知するように構成されることができ、それによって、マイクロコントローラ１０８は、ユーザの状態および／またはシステムの状態の変化を識別すること、および刺激電極１０２によって提供されたパルスを調整する、または適合させることができるようになる。例えば、ユーザまたは電極１０２付近の温度上昇は、結果的に、電極、またはそれに適用される伝導性材料のより急速な脱水をもたらす場合があり、したがって、以下に記載されるように、システムのインピーダンスを増加させ、電極を介して組織に与えられるパルスを適合させることが必要となる。
【０１１３】
いくつかの実施形態では、圧力センサ１３０は、電極１０２付近のユーザの頭部に加えられた圧力または電極１０２に直接加えられた圧力を感知するように構成されることができ、それによって、マイクロコントローラ１０８は、ユーザの状態および／またはシステムの状態の変化を識別すること、および刺激電極１０２によって提供されたパルスを調整する、または適合させることができるようになる。例えば、電極をユーザの頭皮に向かって押している電極１０２に加えられた圧力量の増加は、電極と頭皮との間の距離、いくつかの場合では、電極と目標神経との間の距離を減少させることが予想され、それによって、以下に記載されるように、システムのインピーダンスを減少させ、電極を介して組織に与えられるパルスを適合させることが必要となる、またはそれが可能になる。
【０１１４】
いくつかの実施形態では、湿度センサ１３２は、システム１００または刺激電極１０２付近の湿度または水分レベルを感知するように構成されることができ、それによって、マイクロコントローラ１０８が、ユーザの状態および／またはシステムの状態の変化を識別すること、および刺激電極１０２によって与えられるパルスを調整するまたは適合させることを可能にすることができる。例えば、電極１０２付近で感知された湿度の減少は、電極、またはそれに適用される伝導性材料の脱水を示す場合があり、したがって、以下に記載されるように、システムのインピーダンスを増加させ、電極を介して組織に与えられるパルスを適合させることが必要となる。
【０１１５】
いくつかの実施形態では、ユーザインターフェース１３４は、痛みの表示、不快感の表示、または錯感覚の減少もしくは消失の表示などのユーザが感じている感覚の表示をユーザから受信するように構成され得る。ユーザが感じる感覚の変化についてのユーザからのこのような表示は、マイクロコントローラ１０８が、刺激電極１０２によって与えられるパルスを調整するまたは適合させることを可能にすることができる。
【０１１６】
いくつかの実施形態では、ＲＦ送受信機１１６は、マイクロコントローラ１０８が、携帯電話、タブレット、コンピュータ、またはクラウドベースのデータベースなどの外部デバイス１５０のインターフェースと、無線周波数を経由して通信することを可能にすることができる。ＲＦ送受信機１１６は、例えば図３を参照しながら以下に記載されるように、システム１００によって与えられる神経刺激を個人化するために、デジタル情報をマイクロコントローラ１０８に伝送することができ、デジタル情報をマイクロコントローラ１０８から受信することができる。
【０１１７】
デバイス１５０のインターフェースは、インターネットからなど、容易にアクセスすることができるリソースからダウンロード可能であり得るソフトウェアアプリケーションを備えることができる。インターフェースは、例えばアクティブ刺激チャネル、刺激強度、実行プログラム、治療時間、バッテリの状態、およびＲＦ通信状態に関する情報を含む、システム１００の状態、ならびに電極接触質、および頭部上での適切なまたは不適切なシステムの位置合せに関する警報などのさまざまな警報についてのそれらの表示を、例えばディスプレイを経由してユーザに提供することができる。さらに、インターフェースは、日々の刺激時間、刺激の間使用された刺激パラメータ、用いられた治療プログラムに関する情報などの、使用ログおよび／またはリポートを、例えばディスプレイを経由してユーザに提供することができる。インターフェースは、さらに、ヘッドセットに含まれる、または関連付けられるセンサから受信される未処理または処理済みの情報を、ユーザに表示することができる、または別の方法で提供することができる。
【０１１８】
いくつかの実施形態では、システムは、外部デバイス１５０のインターフェースを介して遠隔操作で制御され得る。例えば、外部インターフェースは、そのユーザが、システムを起動または停止させること、刺激を開始または休止すること、１つまたは複数のチャネルに対する刺激強度を調整すること、および治療プログラムを選択することを可能にすることができる。いくつかの実施形態では、マイクロプロセッサ１０８によって収集された情報は、クラウドベースのポータルなどの遠隔地に、外部インターフェースを介して伝送されることができ、例えば、図３を参照しながら以下に記載されるように、情報は、保存され得る、または分析および／または監視され得る。
【０１１９】
次に、本明細書における教示による、外部データ源と通信するヘッドセットの形をした、図１Ａの発明システム１００の実施形態の斜視図の概略図である図１Ｂを参照する。
【０１２０】
見られるように、ヘッドセット１６０は、図１Ａのシステム１００を実装することができ、それぞれが、後方部材１６６で終端している、中間部材とも呼ばれ得る１対の可撓性アーム部材１６４に連結された前方部材１６２を含むように構成され得る。前方部材１６２、可撓性アーム部材１６４、および後方部材１６６は一緒に、ヘッドセット本体を形成する。
【０１２１】
いくつかの実施形態では、各後方部材１６６は、クロージャ機構１６８で終端しているテーパエンドを有する終端部分を備える。
【０１２２】
前方部材１６２は、１つまたは複数の前方電極システム１７２をその内側面上に含有するように構成されることができ、それぞれの後方部材１６６は、１つまたは複数の後方電極システム１７４をその内側面上に含有するように構成されることができ、電極システム１７２および１７４は、図１Ａの刺激電極１０２を実装している、または図１Ａの刺激電極１０２と類似している。電極システム１７２および１７４のそれぞれは、電極基部および使い捨て電極ユニットを備えることができ、それらは、いくつかの実施形態では、全てが「ＨＥＡＤＳＥＴ  ＦＯＲ  ＴＲＥＡＴＭＥＮＴ  ＡＮＤ  ＡＳＳＥＳＳＭＥＮＴ  ＯＦ  ＭＥＤＩＣＡＬ  ＣＯＮＤＩＴＩＯＮＳ」という名称の、米国特許出願公開第２０１５／０３７４９７１号、ＡＵ２０１５２２７３８２、ＥＰ２９８１３２６、ＣＮ１０５１８８８３５、ＷＯ２０１４／１４１２１３、およびＩＬ２４１０２６、および本発明の発明者によって出願された、「ＨＥＡＤＳＥＴ  ＦＯＲ  ＮＥＵＲＯＳＴＩＭＵＬＡＴＩＯＮ  ＡＮＤ  ＳＥＮＳＩＮＧ  ＯＦ  ＢＯＤＹ  ＰＡＲＡＭＥＴＥＲＳ」という名称のＷＯ２０１６／０４２４９９に記載されるように、構造化され、機能性を有することができ、これらの特許出願公開を、本明細書において完全に説明されたように、参照により援用する。
【０１２３】
いくつかの実施形態では、電極システム１７２は、三叉神経枝の上の頭部の眼窩上領域に、それらを刺激するために位置付けられるように適合された前方電極を備えることができる、または脳の前頭および前頭前野領域の経頭蓋刺激に適切な電極であることができる。
【０１２４】
いくつかの実施形態では、電極システム１７４は、後頭神経枝の上の頭部の後頭領域に、それらを刺激するために位置付けられるように適合された後方電極を備えることができる、または脳の後頭領域の経頭蓋刺激に適切な電極であることができる。
【０１２５】
いくつかの実施形態では、電極システム１７２および１７４の１つまたは複数は、図１Ａの感知電極１０４に類似しており、例えば脳波（ＥＥＧ）、皮膚伝導反応（ＳＣＲ）、インピーダンスプレチスモグラフ（ＩＰＧ）、筋電計（ＥＭＧ）等などの、上記ユーザの身体部分の少なくとも１つの電気的パラメータを感知するように構成された感知電極を備えることができる。
【０１２６】
ヘッドセット１６０は、電極システム１７２および１７４の構造および／または機能性に類似した構造および／または機能性を有する付加的な電極を含むことができることを理解されたい。電極システム１７２および／または１７４は、特定の神経もしくは神経セット、特定の脳領域を刺激するのに、または特定のパラメータを感知するのに適しているように、取り除かれる、またはヘッドセット１６０上の他の位置に移動され得ることをさらに理解されたい。例えば、電極システム１７４は、可撓性アーム部材１６４に沿うように移動され得る。別の例としてヘッドセット１６０は、アーム部材１６４上に位置付けられる電極システムを１対だけ含むことができ、その電極は、電極システム１７２および１７４が取り除かれることができる一方で、ヘッドセットが装着されるとき、毛髪の下に配置されるように構成され得る。
【０１２７】
前方部材１６２は、図１Ａの電池１２０に類似した電池などの電力源１７７、および電極システム１７２および１７４に、導線（図示せず）によって電気的に結合されるように構成され得る、図１Ａの電子回路１０６に類似する電子回路１７６を含有するように構成されることができる。いくつかの実施形態では、導線の少なくとも一部は、アーム部材１６４を介して後方電極システム１７４まで延びている。
【０１２８】
いくつかの実施形態では、電子回路１７６および／または電池１７７は、ヘッドセット１６０の外部にあってもよい、および／またはヘッドセット１６０と遠隔操作で通信してもよい。
【０１２９】
図１Ａを参照しながら上文において検討されたように、電子回路１７６は、刺激回路、マイクロプロセッサ、充電回路、およびユーザインターフェースを含むことができる。
【０１３０】
いくつかの実施形態では、ヘッドセット１６０は、外部の電子回路および／または刺激回路につながっていて、それによって、電流を外部の刺激因子から電極システム１７２および／または１７４に伝送するように構成され得る。いくつかの実施形態では、ヘッドセット１６０は、身体のさまざまな区域に位置付けられ得る少なくとも１つの外部電極につながっているように構成され得る。いくつかの実施形態では、ヘッドセット１６０は、ヘッドセット１６０上に配置されたセンサからの信号を外部プロセッサに伝送するために、外部の電子回路およびプロセッサにつながっているように構成され得る。
【０１３１】
いくつかの実施形態では、電池１７７は、前方部材１６２の中に配置されることができ、特定の実施形態によれば、充電器を前方部材１６２上に位置付けられる充電ポート１７８に差し込むことによって、再充電され得る。
【０１３２】
前方部材１６２は、その外面上に、図１Ａのユーザインターフェース１３４に類似している場合もあるユーザ制御部およびインターフェース１８０を含むように、さらに構成され得る。いくつかの実施形態における、その前述の、後方部材１６６またはアーム１６４などの、ヘッドセット１６０の他の部分は、ユーザインターフェース１８０を含むように構成され得る。いくつかの実施形態では、ユーザインターフェース１８０または付加的なユーザインターフェース（図示せず）は、ヘッドセット１６０の外部にあってもよく、図１Ａを参照しながら上文において説明されたように、有線通信または無線通信を使用して、遠隔操作でヘッドセット１６０と通信することができる。
【０１３３】
電子回路１７６およびユーザインターフェース１８０は、ヘッドセット１６０の中に含まれる電極を制御および／または活性化するように構成され得る。いくつかの実施形態では、ユーザインターフェース１８０は、少なくとも２対の電極、いくつかの実施形態では、２対より多い電極を制御および／または活性化するように構成される。したがって、いくつかの実施形態では、刺激回路および／またはユーザインターフェース１８０は、特定の電極の活性化、または特定の対の電極もしくは電極のチャネルの活性化、ならびに活性電極によって供給される電流の強度、または活性電極の他の刺激パラメータの強度の調整、および痛みについてのユーザ表示、不快感についてのユーザ表示、または錯感覚の減少もしくは増加についてのユーザ表示などの、ユーザ表示の提供を可能にするように構成される。いくつかの実施形態では、電極のいかなるサブセットも、同時に活性化されることができ、いくつかの実施形態では、特定のサブセットが、例えば電子回路１７６の製造の間に、あらかじめ定義される。いくつかのこのような実施形態では、ユーザインターフェース１８０は、特定の電極、または特定のチャネルの制御だけでなく、電極の活性サブセットの制御も可能にする。
【０１３４】
いくつかの実施形態では、ユーザ制御部およびインターフェース１８０は、前方電極システム１７２によって提供される刺激の強度をそれぞれ増大、減少させるための１対の前方強度ボタン１８１ａおよび１８１ｂと、後方電極システム１７４によって提供される刺激の強度をそれぞれ増大、減少させるための１対の後方強度ボタン１８２ａおよび１８２ｂとを含む。ユーザ制御部およびインターフェース１８０は、ヘッドセット１６０の中に含まれる電極ごとに、類似の強度ボタンを含むことができることを理解されたい。
【０１３５】
ユーザ制御部およびインターフェース１８０は、電子回路１７６を活性化および動作不能化するための、ならびにヘッドセット１６０の動作のモード間で変更するためのモード変更ボタン１８４をさらに含むことができる。例えば、ヘッドセット１６０は、休眠モード、保守モード、および治療モードなどの多数の事前設定された動作モードを有することができ、ボタン１８４を繰り返して操作することで、ヘッドセットをオン、オフすることに加えて、これらのモード間の切り替えをすることができる。
【０１３６】
例えば、ユーザが、痛み、不快感、または錯感覚の減少についてのユーザ表示を提供することができる、ユーザ表示ボタンは、ユーザ制御部およびインターフェース１８０の一部を構成してもよく、前方部材１６２の外面上に配置され得る。
【０１３７】
いくつかの実施形態では、ユーザ制御部およびインターフェース１８０は、ヘッドセットの活性化、ヘッドセットの運転停止、インターフェース１８０上のボタンを押していること、刺激モードを変更していること等を示す、ヘッドセット１８０の使用についての音声表示をユーザに提供するためのスピーカまたはブザーなどの、音声要素（図示せず）をさらに含むことができる。
【０１３８】
上文において説明したように、電子回路およびユーザインターフェースは、ヘッドセット１６０の中に含まれる電極を制御および／または活性化するように構成される。いくつかの実施形態では、ユーザインターフェースは、少なくとも２対の電極、いくつかの実施形態では、２対より多い電極を制御および／または活性化するように構成される。したがって、いくつかの実施形態では、刺激回路および／またはユーザインターフェースは、特定の電極の活性化、または特定の対の電極もしくは電極のチャネルの活性化、ならびに活性電極によって供給される電流の強度、または活性電極の他の刺激パラメータの強度の調整を可能にするように構成される。いくつかの実施形態では、電極のいかなるサブセットも、同時に活性化されることができ、いくつかの実施形態では、特定のサブセットが、例えば電子回路の製造の間に、あらかじめ定義される。いくつかのこのような実施形態では、ユーザインターフェースは、特定の電極、または特定のチャネルの制御だけでなく、電極の活性サブセットの制御も可能にする。
【０１３９】
いくつかの実施形態では、電子回路１７６は、図１Ａの送受信機１１６と類似の送受信機１９６を含み、この送受信機は、携帯電話、タブレットコンピュータ等などの、ヘッドセット１６０の外部の、図１Ａの外部デバイス１５０に類似した通信デバイス１９７と遠隔操作で通信するように構成される。通信デバイス１９７は、さらに、その中にデータを保存する、またはそのデータを読み出すための、参照符号１９８で示されるクラウドベースの保存場所などの遠隔保存場所と通信することができる。例えば、いくつかの実施形態では、特定のユーザで使用される特定の刺激プロトコルに関するデータは、実質的には図３を参照しながら以下に記載されるように、刺激プロトコルを特定のユーザ用に個人化することを容易にするために、通信デバイス１９７を介して、送信器１９６からクラウドベースの保存場所１９８に、その中に保存するために伝送されることができ、将来、クラウドベースの保存場所から読み出されることができる。別の例として、基準データは、図３を参照しながら以下に記載されるように、刺激プロトコルを個人化することを容易にするために、例えば通信デバイス１９７を介して、クラウドコンピューティング保存場所１９８から送受信機１９６に伝送され得る。
【０１４０】
次に、図１Ａのシステムを使用して、本明細書における教示による、高インピーダンスを有する頭部領域を神経刺激するための方法についての実施形態の流れ図である図２を参照する。
【０１４１】
最初に、段階２００では、マイクロコントローラ１０８は、刺激回路１１２に、ユーザの頭皮面に係合している刺激電極１０２を介して、それぞれが単一正位相および単一負位相を有する１つまたは複数の電気的に平衡単一パルスを提供するように指示する。基準インピーダンス状態の下で提供されるこのようなパルスの例は、パルス４００として図４Ａに図示される。いくつかの実施形態では、パルスは、０〜６０ｍＡ、０〜４０ｍＡ、０〜２０ｍ、または０〜１５ｍＡの強度範囲を有することができる。いくつかの実施形態では、パルスは、１０〜２０００μｓｅｃ、１００〜１６００μｓｅｃ、２００〜１４００μｓｅｃ、または３００〜１０００μｓｅｃの時間を有することができる。いくつかの実施形態では、パルスは、１〜２０，０００Ｈｚ、１〜１０，０００Ｈｚ、１〜５００Ｈｚ、１０〜３００Ｈｚ、１０〜２５０Ｈｚ、２０〜１８０Ｈｚ、３０〜１８０Ｈｚ、または４０〜１００Ｈｚの範囲の周波数を有することができる。
【０１４２】
段階２０２では、マイクロコントローラ１０８は、パルスを提供するために電極によって必要とされる電圧が、所定の閾値または上側電圧閾値に達したかどうかを連続的に、周期的に、または断続的に評価する。閾値は、回路１０６のコンプライアンス電圧と等しくてもよく、またはその一部分、もしくはいくらかのパーセントであってもよい。いくつかの実施形態では、閾値は、コンプライアンス電圧の６０％〜７０％である。
【０１４３】
いくつかの実施形態では、パルスを提供するために電極によって必要とされる電圧を評価した後に、またはそれとともに同時的に、段階２０４では、マイクロコントローラ１０８は、システムのインピーダンスが、所定のインピーダンス閾値に達したかどうかを評価する。これは、例えばパルスが相対的に低電流で提供される場合に、電圧閾値に達していない場合であっても、所定のインピーダンスに達しているときには、適切である。いくつかの実施形態では、インピーダンス閾値は、８ＫΩより大きい、１０ＫΩより大きい、または１２ＫΩより大きい場合がある。
【０１４４】
電圧が電圧閾値に達しておらず、インピーダンスがインピーダンス閾値に達していなかった場合、マイクロコントローラ１０８は、刺激回路１１２に、段階２００で、刺激電極１０２を介して、平衡単一パルスを提供し続けるように指示する。
【０１４５】
システムの電圧が、パルスを提供するのに不十分であるとき、またはシステムのインピーダンスが、あまりに高い場合には、オームの法則によれば、電極によって提供される電流は、満充電が組織に提供されることを可能にするのには不十分であることを理解されたい。図４Ｂは、高インピーダンス状態の下で単一パルス４００によって提供される電流の例を図示し、見られ得るように、パルスの正位相は、パルスが、提供されるように意図された電荷を提供しないように、参照符号４１０で示される時点でカットされ始める。図４Ｃは、高インピーダンス状態の下での電極１０２上の電圧を図示し、見られるように、電極によって必要とされる電圧は、上側電圧閾値に達するまで、上昇する。図示した実施形態では、上側電圧閾値は、システムのコンプライアンス電圧である。図４Ｂおよび図４Ｃを比較すると、パルスがカットされるようになる時点４１０（図４Ｂ）は、コンプライアンス電圧に達した時間に一致していること（図４Ｃ）が示されている。
【０１４６】
したがって、段階２０２における評価が、電圧が電圧閾値に達したと判定した場合、および／または段階２０４における評価が、インピーダンスがインピーダンス閾値に達したと判定した場合、電極１０２によって提供されるパルスは、カットされる。結果的に段階２０６では、マイクロコントローラ１０８は、刺激回路１１２に、電極１０２を介して提供されるパルスを変更して、図５Ａに示されるパルスに類似した位相トレーンパルスにするように指示する。図５Ａを同様に参照すると、現在電極１０２によって提供されるパルスは、正位相トレーン５０２およびその直後に続く負位相トレーン５０８を含む平衡パルス５００であることが見られる。正位相トレーン５０２は、休止時間５０６によって区切られる定電流正位相５０４のストリークを含み、負位相トレーン５０８は、休止時間５１２によって区切られる定電流負位相５１０のストリークを含む。正位相５０４および負位相５１０のそれぞれは、所定量の電荷を提供することを目的としている。「所定量の電荷」という用語は、意図された量の電荷と等しい量の電荷、ならびに意図された電荷量とは、１５％以下、１０％以下、５％以下、３％以下、または１％以下だけ異なっている量の電荷に関するものであることを理解されたい。
【０１４７】
発明者は、図４Ａの単一パルスから、図５Ａの位相トレーンパルスへの移行は、毛髪および組織層などの、電極の下にある層のインピーダンスの減少をもたらし、結果的に、必要電荷を提供するのに必要とされる電圧の減少をもたらすことを発見した。したがって、図５Ａに示されるように、５０４位相および５１０位相のそれぞれの中で、パルスは完全であり、意図された量の電荷、または意図された量の電荷から１５％以下、１０％以下、５％以下、３％以下、または１％以下だけ外れている量の電荷が、ユーザの頭皮に提供される。
【０１４８】
正位相５０４間の休止時間５０６の累積時間ｄｒｔｐと正位相５０４の累積時間ｄｓｐとの間の時間比率ｔｒｐは、所定の比率より小さいことが、本明細書における教示に特有の特徴である。同様に、負位相５１０間の休止時間５１２の累積時間ｄｒｔｎと負位相５１０の累積時間ｄｓｎとの間の時間比率ｔｒｎは、所定の閾値比率より小さい。いくつかの実施形態では、所定の閾値比率は、０．４〜１．２、０．５〜１、または０．５５〜０．７５の範囲である。いくつかの実施形態では、実施例１で以下に説明されるように、所定の閾値比率は、０．６である。
【０１４９】
図５Ａの実施形態などのいくつかの実施形態では、正位相５０４および負位相５１０は、共通位相幅ｗ１を有する。しかしながら、他の実施形態では、正位相５０４は、負位相５１０の共通位相幅ｗｎとは異なる場合もある共通位相幅ｗｐを有することができる。さらに他の実施形態では、正位相は、共通位相幅を有する必要はなく、そして、負位相は、共通位相幅を有する必要もない。本明細書、および後に続く特許請求の範囲の目的として、「共通位相幅」という用語は、等しい位相幅に関するものであるが、２０％以下、１５％以下、１０％以下、５％以下、または１％以下の相互偏差を備えた位相幅をさらに含むことを理解されたい。
【０１５０】
いくつかの実施形態では、すぐ次の後続正位相５０４との間の休止時間５０６およびすぐ次の後続負位相５１０との間の休止時間５１２は、共通休止時間値ｒｔ１を有する。他の実施形態では、すぐ次の後続正位相５０４の間の休止時間５０６は、すぐ次の後続負位相５１０の間の休止時間５１２の共通休止時間値ｒｔｎとは異なる場合がある、共通休止時間値ｒｔｐを有する。さらに他の実施形態では、休止時間５０６は、共通休止時間値を有する必要はなく、そして、休止時間５１２は、共通休止時間値を有する必要はない。本明細書、および後に続く特許請求の範囲の目的として、「共通休止時間値」という用語は、等しい休止時間値に関するものであるが、２０％以下、１５％以下、１０％以下、５％以下、または１％以下の相互偏差を備えた休止時間値をさらに含むことを理解されたい。
【０１５１】
いくつかの実施形態では、正位相トレーン５００の時間は、負位相トレーン５０８の時間と等しいが、それが、必ずしも等しい必要はない。いくつかの実施形態では、正位相５０４の累積時間ｄｓｐは、負位相５１０の累積時間ｄｓｎと等しいが、それが、必ずしも等しい必要はない。いくつかの実施形態では、正位相５０４の間の休止時間５０６の累積時間ｄｒｔｐは、負位相５１０の間の休止時間５１２の累積時間ｄｒｔｎと等しいが、それが、必ずしも等しい必要はない。
【０１５２】
正位相トレーン５０２の中の正位相５０４の数、および負位相トレーン５０８の中の負位相５１０の数は、２〜３０の範囲である。いくつかの実施形態では、正位相トレーン５０２の中の正位相５０４の数は、負位相トレーン５０８の中の負位相５１０の数と等しいが、それが、必ずしも等しい必要はない。
【０１５３】
いくつかの実施形態では、各休止時間５０６または５１２の時間は、少なくとも５μｓｅｃである。いくつかの実施形態では、各正位相５０４および各負位相５１０の位相幅は、６００μｓｅｃ以下、４００μｓｅｃ以下、３００μｓｅｃ以下、２００μｓｅｃ以下、１００μｓｅｃ以下、または５０μｓｅｃ以下である。
【０１５４】
図２に戻ると、段階２０６で位相トレーンパルスに移行した後、移行の結果は、ユーザの頭皮に十分な電荷を提供しながらも、必要な電圧が最低であるパルスに達しようとする試みにおいて評価される。したがって、段階２０８では、マイクロコントローラ１０８は、十分な電荷が、正位相５０４および負位相５１０のそれぞれによって提供されているかどうかを評価または監視する。電荷は、それが意図された電荷と等しい場合、またはそれが、意図された電荷から、１５％以下、１０％以下、５％以下、３％以下、または１％以下だけ外れている場合に、十分とみなされることを理解されたい。
【０１５５】
いくつかの実施形態では、位相によって提供される電荷は、いくつかの実施形態では、刺激電極１０２と同じ電極である場合もある、電極１０４を感知することによって監視される。いくつかの実施形態では、電荷は、例えばセンサアレイ１２４の中のセンサなどの、回路１０６と機能的に関連付けられる、刺激電極１０２および感知電極１０４の外部にある付加的なセンサによって監視される。
【０１５６】
いくつかの実施形態では、電荷は、位相に提供された波形が意図された波形と同一であるのか、または、意図された波形から、最大で１５％、最大で１０％、最大で５％、最大で３％、または最大で１％だけ外れているのかを識別するために、それぞれの提供された位相の波形を監視することによって監視される。いくつかの実施形態では、頭皮に提供される電荷の減少、または電荷が不十分であることは、提供された波形が、許容偏差を超えて意図された波形と異なっていること、特に、提供された波形が、位相の終了に向けて、降下しているまたは「カット」されていることによって示される。加えて、不十分な電荷が提供される状況にある図５Ａの位相トレーンパルス５００を示す図５Ｂを参照すると、正位相５０４ａの波形は、終了部では直角を形成していない、または不完全であることが見られ、このことは、位相５０４ａによって頭皮に提供されている電荷が、意図された電荷より少ないことを示している。
【０１５７】
段階２０８では、例えば、パルスの波形は、図５Ｂに示される波形に類似していると判定することによって、不十分な電荷が、提供されていると判定される場合、段階２１０では、マイクロコントローラ１０８は、正位相の間の休止時間の累積時間ｄｒｔｐと正位相の累積時間ｄｓｐとの間の時間比率ｔｒｐと、負位相の間の休止時間の累積時間ｄｒｔｎと負位相の累積時間ｄｓｎとの間の時間比率ｔｒｎとが、所定の閾値比率より小さいかどうかを評価する。換言すると、段階２１０では、マイクロコントローラ１０８は、パルスの中の累積的な休止時間が、最大許容休止時間より少ないのか、または最大許容休止時間と等しいのかを評価する。
【０１５８】
段階２１０で、マイクロコントローラ１０８が、最大許容休止時間に、達していないと判定する場合、段階２１２では、マイクロコントローラ１０８は、刺激回路１１２に、提供されたパルスの中の少なくとも１つの休止時間を更新するように指示する。最大許容休止時間に、達していないという事実に因り、マイクロコントローラは、正位相トレーンの中および／または負位相トレーンの中の少なくとも１つの休止時間を増大させることによって、パルスを更新する。
【０１５９】
いくつかの実施形態では、マイクロコントローラ１０８は、刺激回路１１２に、正位相トレーンの中の休止時間の全ておよび／または負位相トレーンの中の休止時間の全てを増大させることによってパルスを更新するように指示する。いくつかの実施形態では、マイクロコントローラ１０８は、刺激回路１１２に、正位相トレーンの共通休止時間値ｒｔｐ、負位相トレーンの共通休止時間値ｒｔｎ、またはパルスの共通休止時間値ｒｔ１を増大させるように指示する。
【０１６０】
図５Ｃは、位相の間の共通休止時間を増大した後の、図５Ａおよび図５Ｂの位相トレーンパルス５００を図示する。図５Ｃに見られるように、場合によっては、休止時間を増大した後、パルス波形は、再び「完全」であり、期待される量の電荷が、パルスによって、ユーザの頭皮に提供される。
【０１６１】
段階２１０で、最大許容休止時間に達した場合、段階２１４では、マイクロコントローラ１０８は、電極によって提供される電圧が、システムのコンプライアンス電圧、またはその所定の部分もしくはパーセントなどの、所定の電圧閾値に達したかどうかを評価する。
【０１６２】
段階２１４で、マイクロコントローラ１０８が、電圧閾値に達したと判定した場合、これは、休止時間を増大させることができない（段階２１０での判定に因って）ことと、電圧を増大させることができない（段階２１４での判定に因って）こととを意味している。したがって、おそらく、電極１０２とユーザの頭皮との間の不良な電気接触、またはシステムの中に別の不具合が存在していると思われ、段階２１６では、マイクロコントローラ１０８は、このような不具合または不良な電気接触の表示を、例えばユーザインターフェース１３４を介してユーザに提供することができる。その後、治療は中断される。
【０１６３】
あるいは、段階２１４で、マイクロコントローラ１０８が、電圧閾値に達していないと判定した場合、段階２１８では、マイクロコントローラ１０８は、刺激回路１１２に、電極１０２によって加えられる電圧を増大させるように指示し、続いて、段階２１２では、提供されたパルスの少なくとも１つの休止時間を更新する。いくつかの実施形態では、最大許容休止時間に達したという事実に因って、マイクロコントローラ１０８は、刺激回路１１２に、正位相トレーンおよび／または負位相トレーンの中の休止時間の少なくとも１つを減少させることによってパルスを更新するように指示する。  
【０１６４】
いくつかの実施形態では、マイクロコントローラ１０８は、正位相トレーンの中の全ての休止時間および／または負位相トレーンの中の全ての休止時間を減少させることによって、刺激回路１１２に、パルスを更新するように指示する。いくつかの実施形態では、マイクロコントローラ１０８は、刺激回路１１２に、正位相トレーンの共通休止時間値ｒｔｐ、負位相トレーンの共通休止時間値ｒｔｎ、またはパルスの共通休止時間値ｒｔ１を減少させるように指示する。
【０１６５】
いくつかの実施形態では、段階２１８で電圧を増大し、段階２１２で休止時間を減少した後、位相トレーンパルスは、図５Ａに示される波形を有する。
【０１６６】
いくつかの実施形態では、マイクロコントローラ１０８によって、または刺激回路１１２によって減少されるどのような休止時間も、いくつかの実施形態では５μｓｅｃ以上である最小休止時間に減少される。
【０１６７】
いくつかの実施形態では、休止時間に対する変更は、マイクロコントローラ１０８が、正位相５０４間の休止時間５０６の累積時間ｄｒｔｐと正位相５０４の累積時間ｄｓｐとの間の時間比率ｔｒｐと、負位相５１０間の休止時間５１２の累積時間ｄｒｔｎと負位相５１０の累積時間ｄｓｎとの間の時間比率ｔｒｎとの一方または両方を変更するように刺激回路１１２に指示することによって実行されることを理解されたい。
【０１６８】
いくつかの実施形態では、段階２１２では、マイクロコントローラ１０８は、刺激回路１１２に、パルスの付加的な特性を適合させるように指示することができる。いくつかの実施形態では、段階２１２では、マイクロコントローラ１０８は、刺激回路１１２に、正位相トレーンの中の正位相の数および／または負位相トレーンの中の負位相の数を適合させるようにさらに指示することができる。いくつかの実施形態では、段階２１２では、マイクロコントローラ１０８は、刺激回路１１２に、正位相の１つまたは複数の位相幅、または正位相の共通位相幅ｗｐを適合させるようにさらに指示することができる。いくつかの実施形態では、段階２１２では、マイクロコントローラ１０８は、刺激回路１１２に、負位相の１つまたは複数の位相幅、または負位相の共通位相幅ｗｎを適合させるようにさらに指示することができる。いくつかの実施形態では、マイクロコントローラ１０８は、刺激回路１１２に、正位相の１つまたは複数および／または負位相の１つまたは複数の振幅を適合させるようにさらに指示することができる。
【０１６９】
段階２１２において、マイクロコントローラ１０８によって加えられる休止時間に対する変更の後、マイクロコントローラ１０８は、段階２０８では、十分な電荷が、パルスの各位相によって提供されるか否かを評価し続け、休止時間および／または電圧に対する付加的な更新が、加えられ得る。
【０１７０】
段階２０８が発現した場合は必ず、マイクロコントローラ１０８が、十分な電荷が、パルスの各位相によってユーザの頭皮に提供されていると判定する場合、段階２２０では、マイクロコントローラ１０８は、刺激回路１１２に、確立されたようにパルスを提供し続けるように指示する。
【０１７１】
次いで、段階２２２では、マイクロコントローラ１０８は、付加的な監視が必要であるという表示を待つ。そうした表示が提供されると、マイクロコントローラは、段階２０８に戻って、パルスが十分な電荷を提供しているかどうかを査定し、フローは、前述のようにそこから再開される。それ以外の場合、マイクロコントローラは、確立されたパルスを提供し続ける。
【０１７２】
いくつかの実施形態では、表示は、マイクロコントローラ内部表示、例えば１０分毎、５分毎、または３分毎に提供される、例えば周期的な監視に関する時間表示である。一部のこのような実施形態では、付加的な監視は、治療の最初の部分では、より頻繁に実行される場合があり、その場合、一旦システムが平衡状態に達すると、治療の後半段階では頻繁には実行されなくなる。
【０１７３】
他の実施形態では、表示は、マイクロコントローラ外部の構成要素から受信され得る。例えば、表示は、ユーザインターフェース１３４を介して、ユーザによって提供される不快感、痛み、または錯感覚が減少したことについての表示であってもよい。
【０１７４】
いくつかの実施形態では、表示は、システムの変化を感知しているセンサによって提供され得る。例えば、マイクロコントローラ１０８は、センサアレイ１２４の一部を構成している湿度センサから、付加的な監視を必要とする、電極１０２付近の湿度の変化を表示する信号を受信することができる。別の例としてマイクロコントローラ１０８は、センサアレイ１２４の一部を構成している温度センサから、付加的な監視を必要とする、電極１０２付近の温度の変化を表示する信号を受信することができる。さらなる例として、マイクロコントローラ１０８は、センサアレイ１２４の一部を構成している圧力センサから、付加的な監視を必要とする、電極１０２に加えられる圧力の変化を表示する信号を受信することができる。さらに別の例として、マイクロコントローラ１０８は、センサアレイ１２４の一部を構成している加速度計から、付加的な監視が必要であることを示し得る、ユーザの位置または電極の位置の変化を表示する信号を受信することができる（例えば、ユーザが仰臥位であったけれども、今は立っている場合、電極に加えられる圧力は、少なくなり、インピーダンスを増大させる可能性がある）。
【０１７５】
システム内の信号伝達の品質を評価するために（段階２０８において）、パルスの位相によって提供される電荷の評価を、オームの法則に因って、電荷の評価と等価的である、システムのインピーダンスの評価に取り代え得ることを理解されたい。このような実施形態では、電極１０２の間で測定されたインピーダンスが、所定のインピーダンス閾値を上回ってある場合、提供されたパルスの中の休止時間、および／または提供されたパルスの電圧は、更新される。いくつかの実施形態では、インピーダンス閾値は、８ＫΩより大きい、１０ＫΩより大きい、または１２ＫΩより大きい場合がある。
【０１７６】
次に、本明細書における教示による、図２の方法を個人化するための方法の実施形態についてのフローチャートである図３を参照する。
【０１７７】
段階３００で見られるように、最初に、特定のユーザ用の治療モデルを生成するためのデータが、取得される。いくつかの実施形態では、データは、サーバに基づくまたはクラウドベースの遠隔データベースから取得されることができる。いくつかの実施形態では、データは、年齢、体重、および毛髪種類などの患者の特性、および治療中の刺激強度、達したインピーダンスレベル、達した電圧レベル、電圧／インピーダンスの変化、および／または治療時間などの以前の治療の間に収集された数値など、ユーザに関する特定情報に基づくことができる。
【０１７８】
続いて、段階３０２では、治療モデルは、取得されたデータによって修正されたデフォルト値に基づいて生成される。いくつかの実施形態では、治療モデルは、湿度センサによって特定される湿度情報、温度センサによって特定される温度情報、加速度計によって特定される位置情報等が含まれ得る、システム内のセンサ（例えばセンサアレイ１２４内のセンサ）によって特定されるようなシステムの現在状態に関する情報などの、現下に収集された治療データを考慮する。さらに、システムは、ユーザが、例えばユーザインターフェース１３４を介して、システムの現在状態に関する入力を提供すること、および治療モデルを生成するのにこの入力を使用することを可能にし得る。例えば、ユーザは、皮膚刺激または過剰な皮膚紅斑が発生したことを表示することができ、このことを使用して、この特定のユーザ用の治療モデルを更新することができる。
【０１７９】
段階３０４では、システムのマイクロコントローラは、合理的な電圧および位相の間の短い休止時間を使用する一方で、特定のユーザの頭皮に十分な電荷を提供するために必要とされる、電圧および／またはパルスの形についての予測を生成する。段階３０６では、予測は、図２の方法による治療を開始するのに使用され、予測された電圧が、治療の最初の電圧として使用される。
【０１８０】
段階３０８では、治療の間および／または治療の後、ユーザの頭皮に十分な電荷、および／またはこのような電荷を提供するために使用される実波形のパラメータ（例えば正位相および負位相の数、正位相および負位相のそれぞれの長さ、位相の間の休止時間の長さ等）を提供するために必要とされる実電圧は、マイクロコントローラによって記録され、それとともに関連付けられるメモリの中に保存される。
【０１８１】
いくつかの実施形態では、記録されたデータは、段階３１０で見られるように、遠隔サーバに置かれるまたはクラウドベースの、遠隔データベースに伝送されることができる。データは、いくつかの実施形態では、ユーザの識別番号または名前などの、特定のユーザの少なくとも１つの識別子と関連付けられた、またはユーザによって使用されるデバイスの少なくとも１つの識別子と関連付けられた遠隔データベースの中に保存されることができ、その結果、そのデータが、次の治療セッションで、例えば段階３００で取得されたデータとして、容易に使用され得るようになる。
【０１８２】
次に、上記記載と共に、非限定的な様式で本発明を例示する以下の例を参照する。
【０１８３】
実施例
図１Ｂのシステムおよび図２の方法を用いて、１０人のユーザが、治療された。
【０１８４】
治療には、大後頭神経の刺激が含まれた。図１Ｂに示されているものと類似のヘッドセットが、後方電極が、毛髪の下で、外後頭隆起のレベルで左右の大後頭神経枝の上に置かれるように、各ユーザの頭部上に置かれた。
【０１８５】
電気的に平衡パルスの形をした刺激は、５ｍＡの定電流、および８０Ｈｚの周波数で加えられた。
【０１８６】
ベースラインラウンドでは、提供された正位相および負位相は、図４Ａに関して上文に記載されたように、それぞれが、４００μｓｅｃの位相時間を有する単一位相であった。電圧レベルは、記録された。ユーザは、神経分布領域で感じられた錯感覚の強度に留意するように求められ、この強度が、ベースライン強度とみなされ、１０のスコアが与えられた。
【０１８７】
治療の各後続のラウンドでは、パルスには、図５Ａに関して上文に記載されたように、正位相トレーンおよび負位相トレーンが含まれた。正位相トレーンおよび負位相トレーンのそれぞれにおける、刺激位相、すなわち「オン時間」の累積時間は、４００のμｓｅｃのままであった。各ラウンドでは、各位相トレーンの中の累積的な休止時間は、増大され、パルスを提供するのに必要とされる電圧に生じた変化が、記録された。さらに、ユーザは、神経分布領域で感じられた錯感覚に、１０は、ベースライン錯感覚であり、１は、ごくわずかな錯感覚である、１〜１０のスコアを与えるように求められた。
【０１８８】
結果は、提供されたパルスの累積的な休止時間を変更した後の、電圧および錯感覚の変化を含む表を図示している図６Ａにまとめられている。
【０１８９】
表６００には、タイトル行６０２、第１のベースライン行６０４、およびそれぞれが、治療の単一ラウンドに関連している複数の治療行６０６が含まれる。行のそれぞれは、複数の列６０８に分けられ、複数の列６０８には、
治療のそのラウンドの中の正位相トレーンおよび負位相トレーンのそれぞれの中の累積的な休止時間をμｓｅｃで示している列６０８ａと、
累積的な位相時間に対する休止時間の累積的な長さのパーセント、すなわち、換言すると、正位相トレーンおよび負位相トレーンごとの、「オンタイム」に対する「オフタイム」のパーセントを示しており、−例えば、累積的な休止時間が１００μｓｅｃであり、上述したように、全てのラウンドにおける各位相トレーンの中の累積的な位相時間が、４００μｓｅｃである場合には、カラム６０８ｂに示されるパーセントは、２５％である、列６０８ｂと、
カラム６０８ａに明記された所与の休止時間を考慮して、十分な電荷を提供するために必要とされる平均電圧を示すカラム６０８ｃと、
ベースライン電圧に対する、平均電圧の減少パーセントを示すカラム６０８ｄと、
治療ラウンドに関してユーザによって提供された平均的錯感覚スコアを示しているカラム６０８ｅと、が含まれる。
【０１９０】
図６Ｂおよび図６Ｃは、図６Ａに示された結果について図式的なグラフィック表示を提供している。具体的には、図６Ｂは、異なる治療ラウンドにおいてパルス波形に変化が生じた結果として、電圧に生じた変化を図示し、図６Ｃは、各パルスラウンドにおけるパルス波形に変化が生じた結果として、経験した錯感覚に生じた変化を図示する。
【０１９１】
表６００をより詳細に見ると、累積的な休止時間が増大するにつれて、ユーザの頭皮に十分な電荷を提供するために必要とされる電圧ならびにユーザによって経験される錯感覚は、減少することが示されている。表６００の最下行６０６ｈを特に見ると、パルスを提供するのに必要な電圧は、累積的な休止時間が累積的な位相時間の２倍である長さであるとき、６７％程度だけ減少しており、ユーザによって経験される錯感覚は、あるとしても、ユーザがごくわずかな錯感覚を感じているに過ぎない点まで全面的に減少していることが見られる。
【０１９２】
図６Ｃに示されるように、ユーザによって経験される錯感覚（ｙ軸）は、位相時間全体に対する休止時間全体のパーセントすなわち換言すると、「オンタイム」全体に対する「オフタイム」全体のパーセント（ｘ軸）に対して描かれている。見られるように、グラフは、最初に区間６２０ａで減少し、次いで、区間６２０ｂでは横ばい状態であり、続いて、区間６２０ｃでは、１のスコアに到達するまで、実質的に直線的に減少する。
【０１９３】
見られるように、参照符号６２２ａによって図６Ｃの中に表示される、最も大きな休止時間パーセントを有している横ばいの位置では、ユーザは、大きな錯感覚（８の平均スコアを付される）を依然として経験している。この例では、この点は、６０％の休止時間パーセントである、すなわち累積的な休止時間および累積的な位相時間の間の０．６の比率である。
【０１９４】
次に図６Ｂを見ると、十分な電荷を提供するのに必要とされる電圧の電圧ベースラインに対する減少パーセント（ｙ軸）は、位相時間全体に対する休止時間全体のパーセント、すなわち換言すると、「オンタイム」全体に対する「オフタイム」全体のパーセント（ｘ軸）に対して描画されている。休止時間パーセントにおいて、図６Ｃの点６２２ａに対応している点６２２ｂでは、ユーザの頭皮に十分な電荷を提供するのに必要な電圧は、ベースライン電圧よりおよそ２５％低い。
【０１９５】
例示した結果によれば、識別された６０％の休止時間パーセントは、ユーザが神経分布領域において有意なレベルの錯感覚を感じ続ける一方で、このパーセントが、ユーザの頭皮に十分な電荷を提供するために、必要とされる電圧をかなり減少させるので、休止時間閾値として特に適切であり、このことは、望ましいことを理解されたい。
【０１９６】
本明細書、および後に続く特許請求の範囲の節で使用されるように、用語「または」は、包括的なものとみなされており、したがって、「ＡすなわちＢ」という語句は、群「Ａ」、「Ｂ」のいずれか、および「ＡおよびＢ」を意味している。
【０１９７】
本明細書、および後に続く特許請求の範囲の節で使用されるように、「パルス」という用語は、例えば電極を介して与えられる、または電極によって感知される電気信号に関するものである。
【０１９８】
本明細書、および後に続く特許請求の範囲の節で使用されるように、「位相」という用語は、ゼロ振幅から始まり、より高振幅に変化して、ゼロ振幅に戻る電流を有するパルスまたはその一部に関するものである。
【０１９９】
本明細書、および後に続く特許請求の範囲の節で使用されるように、「正位相」という用語は、正方向に流れる電流を提供する位相に関するものである。
【０２００】
本明細書、および後に続く特許請求の範囲の節で使用されるように、「負位相」という用語は、負方向に流れる電流を提供する位相に関するものである。
【０２０１】
本明細書、および後に続く特許請求の範囲の節で使用されるように、「平衡パルス」という用語は、正部分および負部分の大きさ、すなわち電荷が、等しい、または相互の１５％以内、１０％以内、５％以内、３％以内、または１％以内であるように、少なくとも１つの正位相を含む正部分および少なくとも１つの負位相を含む負部分を含むパルスに関するものである。
【０２０２】
本明細書、および後に続く特許請求の範囲の節で使用されるように、「位相トレーン」という用語は、同じ種類または大きさ、または同じ方向の２つ以上の連続的な位相を含むパルスに関するものである。例えば、正位相トレーンは、２つ以上の連続的な正位相を含み、負位相トレーンは、２つ以上の連続的な負位相を含む。位相トレーンを画定して、連続的な位相を識別するとき、位相トレーンにおいて最低電荷位相の電荷の３０％以下の電荷を有する、反対方向のいかなる位相も、ノイズとみなされ、無視される。例えば、２つの正位相、次いで非常に小さく短い負位相、次いで付加的な位相を含むパルスは、小さく短い負位相は、無視されるので、正位相トレーンとみなされる。
【０２０３】
本明細書、および後に続く特許請求の範囲の節で使用されるように、「位相トレーンパルス」という用語は、少なくとも１つの正位相トレーンおよび少なくとも１つの負位相トレーンを含むパルスに関するものである。
【０２０４】
本明細書、および後に続く特許請求の範囲の節で使用されるように、「平衡位相トレーンパルス」という用語は、少なくとも１つの正位相トレーンおよび少なくとも１つの負位相トレーンを含む、平衡パルスに関するものである。
【０２０５】
本明細書、および後に続く特許請求の範囲の節で使用されるように、「単一パルス」という用語は、単一正位相および／または単一負位相を含み、位相トレーンを含んでいないパルスに関するものである。
【０２０６】
明確にするために、別々の実施形態のコンテクストにおいて記載されている、本発明の特定の特徴は、さらに、組み合わせて、単一実施形態の中に提供され得ることも理解されたい。これとは反対に、簡潔にするために、単一実施形態のコンテクストにおいて記載されている、本発明のさまざまな特徴は、さらに、別々にまたは何らかの適切な副次的組み合せで提供され得る。同様に、１つまたは複数の特定の請求項に従属している請求項の内容は、通常他の明示されていない請求項に従属している場合もある、または、その内容と、その間に何らかの特定の明白な不適合性なく、組み合わされる場合もある。
【０２０７】
本発明は、その特定の実施形態に関連して記載されてきたが、当業者には、多くの代替案、修正、および変型例が明らかであることは明白である。したがって、添付の請求の範囲の精神および広範な範囲の中に入る、全てのこのような代替案、修正、および変型例を包含するように意図されている。
【図１Ａ】
2019511322.tif 000003
【図１Ｂ】
2019511322.tif 000004
【図２】
2019511322.tif 000005
【図３】
2019511322.tif 000006
【図４Ａ】
2019511322.tif 000007
【図４Ｂ】
2019511322.tif 000008
【図４Ｃ】
2019511322.tif 000009
【図５Ａ】
2019511322.tif 000010
【図５Ｂ】
2019511322.tif 000011
【図５Ｃ】
2019511322.tif 000012
【図６Ａ】
2019511322.tif 000013
【図６Ｂ】
2019511322.tif 000014
【図６Ｃ】
2019511322.tif 000015
【国際調査報告】
2019511322.tif 000016
2019511322.tif 000017
2019511322.tif 000018
2019511322.tif 000019
2019511322.tif 000020
2019511322.tif 000021
2019511322.tif 000022
2019511322.tif 000023
2019511322.tif 000024
2019511322.tif 000025
2019511322.tif 000026
2019511322.tif 000027